(57)【要約】  本発明は、患者の組織（３０１）の内腔（３０２）、切開部、穿刺部、組織の通路および／または血管もしくは他の体管腔（略して内腔）との連通部を閉鎖するための医療器具であって、前記医療器具は、１つ以上の閉鎖デバイス（６００）を解放可能に収容するための、閉鎖デバイスホルダー（８０２）と、前記内腔（３０２）の反対側と接触し、前記内腔の反対側を牽引し、かつ／または前記内腔（３０２）を広げて、前記内腔の形状をスリットまたはスリット様またはよりスリット様の内腔（３０２）に変化させるか、または前記内腔（３０２）の寸法もしくは直径を前記内腔（３０２）の少なくとも１つの次元もしくは正確に１つの次元において拡大もしくは増大させるための牽引ユニット（１００）とを含む、医療器具に関する。
2021514755.tif 000002
【特許請求の範囲】
【請求項１】
患者の組織（３０１）の内腔（３０２）、切開部、穿刺部、組織の通路および／または血管もしくは他の体管腔（略して内腔）との連通部を閉鎖するための医療器具であって、前記医療器具は、
−  １つ以上の閉鎖デバイス（６００）を解放可能に収容するための、閉鎖デバイスホルダー（８０２）と、
−  前記内腔（３０２）の反対側と接触し、前記内腔の反対側を牽引し、および／または前記内腔（３０２）を広げて、前記内腔の形状をスリットもしくはスリット様もしくはよりスリット様の内腔（３０２）に変化させるか、または前記内腔（３０２）の寸法もしくは直径を前記内腔（３０２）の少なくとも１つの次元もしくは正確に１つの次元において拡大もしくは増大させるための牽引ユニット（１００）と
を含む、医療器具。
【請求項２】
前記牽引ユニット（１００）が、
−  少なくとも１つの牽引デバイスホルダー（１０２）と、
−  好ましくは少なくとも部分的に前記牽引デバイスホルダー（１０２）に収容されている、少なくとも１つの牽引デバイス（１０１）と
を含み、
前記牽引デバイス（１０１）は、好ましくは、少なくとも部分的に前記牽引デバイスホルダー（１０２）に収容されており、
前記牽引デバイス（１０１）は、好ましくは、前記牽引デバイスホルダー（１０２）に対して移動可能または摺動可能に配置されている、請求項１に記載の医療器具。
【請求項３】
前記牽引ユニット（１００）が、
−  前記組織と解放可能に係合するための、前記牽引デバイス（１０２）に接続された係合デバイス（４１０）
を含む、請求項１または２に記載の医療器具。
【請求項４】
前記係合デバイス（４１０）が、折り畳み可能であるように、および／または少なくとも部分的に前記牽引デバイスホルダー（１０２）内に含まれるか、もしくは取り込まれるように構成されている、請求項３に記載の医療器具。
【請求項５】
少なくとも２つの牽引デバイス（１０１）および／または少なくとも２つの係合デバイス（４１０）が、前記牽引デバイスホルダー（１０２）内に解放可能に取り込まれており、特に、前記牽引デバイスホルダー（１０２）または前記係合デバイス（４１０）を操作することによって、前記牽引デバイスホルダー（１０２）から少なくとも部分的に解放されるように配置された状態で、特に、閉鎖されるべき前記内腔（３０２）の開口面よりも下に位置するように配置された状態で取り込まれている、請求項４に記載の医療器具。
【請求項６】
前記牽引デバイスホルダー（１０２）および／または前記牽引デバイス（１０１）および／または前記係合デバイス（４１０）が、前記内腔（３０２）の前記反対側を牽引するように構成されており、特に、前記内腔（３０２）の形状を、例えば、ほぼ円形の内腔（３０２）からスリット状の内腔に変化させるように、好ましくは、延伸された横方向の直径が前記内腔（３０２）の牽引された長手方向の直径の少なくとも２倍の長さとなるように構成されている、請求項１から５までのいずれか一項に記載の医療器具。
【請求項７】
前記牽引ユニット（１００）が、少なくとも
−  牽引デバイス（１０１）であって、以下：
第１の側面および反対側の第２の側面、
第１のアームおよび第２のアーム、
第１の牽引デバイス（１０１）および第２の牽引デバイス（１０１）、
第１の牽引デバイスホルダー（１０２）および第２の牽引デバイスホルダー（１０２）、ならびに
第１の係合デバイス（４１０）および第２の係合デバイス（４１０）
のうちの少なくとも１つを有する牽引デバイス（１０１）と、
−  前記第１の側面を前記第２の側面から距離を隔てたり離したりするための、前記第１のアームを前記第２のアームから距離を隔てたり離したりするための、前記第１の牽引デバイス（１０１）を前記第２の牽引デバイス（１０１）から距離を隔てたり離したりするための、前記第１の牽引デバイスホルダー（１０２）を前記第２の牽引デバイスホルダー（１０２）から距離を隔てたり離したりするための、および／または前記第１の係合デバイス（４１０）を前記第２の係合デバイス（４１０）から距離を隔てたり離したりするための機構と
を含む、請求項３から６までのいずれか一項に記載の医療器具。
【請求項８】
前記機構が形状記憶特性を含むか、前記形状記憶特性からなる、請求項７に記載の医療器具。
【請求項９】
−  前記閉鎖デバイスホルダー（８０２）に含まれる閉鎖デバイス（６００）
を含む、請求項１から８までのいずれか一項に記載の医療器具。
【請求項１０】
前記閉鎖デバイス（６００）が、前記閉鎖デバイスホルダー（８０２）内に応力を受けた状態で少なくとも部分的に含まれ、特に、前記医療器具が展開されてない状態にあるときは、前記閉鎖デバイスホルダー（８０２）の遠位端（８０４）内に含まれ、前記閉鎖デバイス（６００）は、好ましくは、２つ以上の端部（６０３）と、例えば２つ以上のアーム（６０４）を介して、前記２つ以上の端部（６０３）と接続する連結部（６０２）とを有する、請求項１から９までのいずれか一項に記載の医療器具。
【請求項１１】
前記閉鎖デバイス（６００）が、前記閉鎖デバイスホルダー（８０２）内に含まれており、その結果、前記医療器具の使用中に前記閉鎖デバイス（６００）が前記閉鎖デバイスホルダー（８０２）の前記遠位端（８０４）から出るように操作されたときに、前記閉鎖デバイス（６００）は、前記閉鎖デバイスホルダー（８０２）の外側にある前記２つ以上のアーム（６０４）を曲げることによってその応力を解放するか、またはその一部を解放し、それによって、前記２つ以上の端部（６０３）は、前記内腔（３０２）を取り囲む前記組織の前記内壁（３０１）を穿孔するように配置される、請求項１０に記載の医療器具。
【請求項１２】
前記閉鎖デバイス（６００）、前記牽引デバイス（１０１）、前記牽引デバイスホルダー（１０２）および／または前記係合デバイス（４１０）の少なくとも一部が、変形可能な形状記憶合金で作られており、かつ／または自己拡張可能な形状記憶部またはワイヤー本体を有する、請求項１から１１までのいずれか一項に記載の医療器具。
【請求項１３】
前記閉鎖デバイス（６００）、前記牽引デバイス（１０１）、前記牽引デバイスホルダー（１０２）および／または前記係合デバイス（４１０）の少なくとも一部が、ニチノールで作られている、請求項１から１２までのいずれか一項に記載の医療器具。
【請求項１４】
前記閉鎖デバイス（６００）、前記牽引デバイス（１０１）、前記牽引デバイスホルダー（１０２）および／または前記係合デバイス（４１０）の少なくとも一部が、生体適合性および／または生体吸収性材料で作られている、請求項１から１３までのいずれか一項に記載の医療器具。
【請求項１５】
前記生体適合性および／または生体吸収性材料が、Ｔｉ、Ｔｉ合金、ニチノール、ステンレス鋼、高分子材料およびセラミックから成る群から選択される少なくとも１種の材料である、請求項１４に記載の医療器具。
【請求項１６】
前記閉鎖デバイス（６００）またはその一部が、応力を受けていない状態のときに、カールして閉鎖形態になる、請求項１から１５までのいずれか一項に記載の医療器具。
【請求項１７】
前記閉鎖デバイス（６００）またはその一部が、応力を受けていない状態のときに、カールしてループ様またはリング様または円様の形状になる、請求項１から１６までのいずれか一項に記載の医療器具。
【請求項１８】
展開後の前記閉鎖デバイス（６００）が、１０マイクロメートル〜１センチメートル、好ましくは４０マイクロメートル〜２００マイクロメートル、より好ましくは５０マイクロメートル〜１００マイクロメートルの範囲の断面寸法を有する、請求項１から１７までのいずれか一項に記載の医療器具。
【請求項１９】
好ましくは、前記閉鎖デバイス（６００）を操作するために、前記閉鎖デバイスホルダー（８０２）の前記近位端（８０５）を通って延在する、押込みデバイスをさらに含む、請求項１から１８までのいずれか一項に記載の医療器具。
【請求項２０】
前記押込みデバイスが、ロッドまたはピストン（２０３）である、請求項１９に記載の医療器具。
【請求項２１】
前記閉鎖デバイス（６００）を操作するために、前記閉鎖デバイスホルダー（８０２）の前記近位端を通って延在する保持デバイス（２０２）をさらに含み、前記保持デバイス（２０２）は、前記閉鎖デバイス（６００）に取り付けられている、請求項１から２０までのいずれか一項に記載の医療器具。
【請求項２２】
前記保持デバイス（２０２）が、紐または縫合糸である、請求項２１に記載の医療器具。
【請求項２３】
前記閉鎖デバイスホルダー（８０２）が、前記閉鎖デバイスホルダー（８０２）の内壁に１つ以上の溝（２０７）を有し、および／または前記保持デバイス（２０２）を前記閉鎖デバイスホルダー（８０２）の長手方向に沿ってガイドするための前記押込みデバイスに１つ以上の溝（２０４）を有する、請求項１から２２までのいずれか一項に記載の医療器具。
【請求項２４】
前記閉鎖デバイスホルダー（８０２）の前記遠位端（８０４）が、前記閉鎖デバイスホルダー（８０２）の壁に２つ以上のチャネル（８０３）を有し、前記チャネル（８０３）は、前記医療器具の操作時に、またはユーザーが必要としたときに、前記閉鎖デバイス（６００）の１つ以上の端部（６０３）が前記閉鎖デバイスホルダー（８０２）から出てくることを可能にする、請求項１から２３までのいずれか一項に記載の医療器具。
【請求項２５】
前記閉鎖デバイスホルダー（８０２）の前記遠位端（８０４）が、前記閉鎖デバイスホルダー（８０２）の壁に、互いに対向して配置された少なくとも１つのチャネル（８０３）または２つのチャネル（８０３）を有する、請求項１から２４までのいずれか一項に記載の医療器具。
【請求項２６】
前記牽引デバイスホルダー（１０２）が、例えば、金属もしくはプラスチックを含むか、またはそれから成り、好ましくは、前記牽引デバイス（１０１）を取り込むように構成された細長いチューブを含む、請求項１から２５までのいずれか１項に記載の方法。
【請求項２７】
組織の内腔（３０２）を閉鎖するための方法であって、以下のステップ：
−  請求項１から２６までのいずれか１項に記載の医療器具を提供するステップと、
−  前記医療器具を用いて前記内腔（３０２）を閉鎖するステップと
を含む、方法。
【請求項２８】
さらに、以下のステップ：
−  前記牽引ユニット（１００）の部品を前記内腔（３０２）内に導入するステップと、
−  前記内腔（３０２）の反対側を、前記牽引ユニット（１００）またはそれによって構成される要素と接触させるステップと、
−  前記内腔（３０２）の前記反対側を、前記牽引ユニット（１００）またはそれによって構成される要素を用いて牽引し、および／または前記内腔（３０２）を広げるステップと、
−  少なくとも１つの閉鎖デバイス（６００）を前記閉鎖デバイスホルダー（８０２）から解放し、前記内腔（３０２）の前記反対側を前記閉鎖デバイス（６００）と互いに接続するステップと
を含む、請求項２７に記載の方法。
【請求項２９】
前記内腔（３０２）の反対側を牽引し、および／または前記内腔（３０２）を広げる前記ステップが、前記内腔（３０２）の形状を、スリットもしくはスリット様もしくはよりスリット様の内腔へと変化させるか、または前記内腔（３０２）の寸法もしくは直径を前記内腔（３０２）の少なくとも１つの次元もしくは正確に１つの次元において拡大もしくは増大させる、請求項２８に記載の方法。
【発明の詳細な説明】
【技術分野】
【０００１】
本発明は、請求項１のプリアンブル部分に記載の内腔を閉鎖するための医療器具、および請求項２７のプリアンブル部分に記載の内腔を閉鎖するための方法に関する。
【０００２】
本発明は、概して、組織に係合させるためのおよび／または組織を介して内腔を閉鎖するための、より具体的には、縫合の代替手段である、血管または他の体管腔の内腔を閉鎖するための医療器具（略して器具）および方法に関し、より具体的には、特に患者の系における侵襲的処置後の、身体器官または血管壁の開口部の閉鎖のための用途を有する閉鎖器具、ならびに対応する使用方法に関する。
【背景技術】
【０００３】
穿刺し、血管または他の身体器官に中空針を挿入することによって一般的に行われるいくつかのインターベンショナル処置が存在し、次いで針の管腔を通してガイドワイヤーを患者の血管または他の器官に進入させてもよい。ガイドワイヤーは針を通して進入させてもよく、針は取り外してもよく、イントロデューサーケーシングをガイドワイヤー上で血管または他の器官内に進入させてもよい（セルディンガー法）。そのようなケーシングは、概して、最大約３０Ｆ以上の範囲で利用される治療システムのニーズに合致する薄壁および直径を有する可撓性チューブである。ケーシングの近位端は、患者の皮膚の外側に保持され、一般に止血弁と共に利用され、ケーシングを介した血管からの血流を防止する。次いで、カテーテルまたは他のデバイスを、イントロデューサーケーシングの管腔を通して、かつガイドワイヤー上で、医療処置を行うための位置に進入させてもよい。穿刺は、診断用心臓血管処理、冠状動脈および末梢血管形成術またはステント留置術、心臓弁プロテーゼの移植および心臓弁修復術、胸腔鏡手術、腹腔鏡手術または内視鏡手術などを含むがこれらに限定されない幾つもの理由から利用される。これらの処置はいずれも、患者の系の治療において使用されるべき身体器官または血管壁に穴を開ける必要がある。穿刺部のサイズは、処置および挿入された系に応じて異なる。処置に応じて、一般に大腿動脈または大腿静脈が患者の系への侵入点として利用される。典型的な穿刺部は、インターベンショナル処置の場合、直径２ｍｍ〜１０ｍｍ以上、または６Ｆ〜３０Ｆ以上の範囲であり得る。
【０００４】
内視鏡または他の器具の使用に直面し得るような他の処置では、挿入のためにトロカールを利用してもよい。典型的なトロカールの穿刺部は、直径２ｍｍ〜１５ｍｍ以上、または６Ｆ〜４５Ｆ以上の範囲であり得る。そのような開口部の閉鎖は、典型的には、複数レベルの外科用縫合糸を使用して行われる。
【０００５】
末梢循環、冠状動脈循環系または心臓のアクセス部位として血管穿刺を利用するインターベンショナル診断または治療処置が完了したら、血管壁または身体器官に穿刺部位を残した状態でデバイスおよびイントロデューサーケーシングを取り外してもよい。
【０００６】
そのような穿孔は、単一の結び目または外科用連続縫合糸を利用する一般的なオープン外科的方法で閉鎖され、緊密に縫合され得る。
【０００７】
出血を止めるための別の代替的なオープン処置は、クリップまたはステープルの使用である。止血クリップの１つの形態が、Ｍａｒｃｈ  ｅｔ  ａｌ．による米国特許第４２１７９０２号明細書に示されており、このクリップは、クランプ機構の操作を可能にするために穿孔のオープン外科的アクセスを必要とする。そして、Ｃｏｌｅｍａｎ  Ｊａｍｅｓ  ｅｔ  ａｌ．による米国特許出願公開第２００８／２７２１７３号明細書に示されるように、オープンアクセスを必要とする、より洗練された外科用ステープラーが記載されている。
【０００８】
非観血的、非外科的な手法で、診断または治療処置のための血管の穿孔後の止血に対処するために、様々な処置およびデバイスが開発されてきた。
【０００９】
出血を止める一般的な手法は、穿孔の箇所に圧力を加え、患者の自然な血液凝固および自己治癒特性が脈管開口部を塞ぐのを待つことである。そのような圧力は、３０分〜最大１時間などの比較的長い時間必要とされる場合があり、その後、患者はこの間寝たきりにされ、事実上固定され、出血が止まるまでの数時間、穿刺部位に重い砂袋を置いて圧迫される。完全な止血および封止が起きる前の出血から血腫の追加のリスクが存在する。この処置には、関連する欠点を伴い、時間がかかる場合がある。
【００１０】
心臓弁プロテーゼ移植または心臓弁修復システムにおけるように血管穿孔のサイズが大きくなると、穿孔の圧迫および開口部の自然な封止の待機は、あまり効果的ではなくなるか、または効果的でなくなりさえする。
【００１１】
過剰な出血が、正常な血液凝固反応を有する人に早くも起こり得る一方で、凝固を阻害する抗凝固薬を使用し、出血性障害、高血圧症または肥満に苦しんでいる患者がおり、貫通ケーシングまたは治療システムの取外し後に過剰な出血のリスクが増大する。
【００１２】
出血を止める改善された手法が、米国特許第５２７５６１６号明細書に示されているようなコラーゲンまたはポリマープラグを適用することによるものである。そのような処置は、特に比較的小さな穿孔で効果的である。しかしながら、そのようなプラグ材料の装着は、血管内血栓形成および炎症反応の発症のリスクを増大させる。
【００１３】
様々な経皮的クリップまたはステープラーが、オープンアクセス閉鎖を回避するために開発された。このシステムは、すでに利用されているガイドワイヤー上に挿入され、クリップは経皮的に操作される。
【００１４】
縫合糸で縫い合わされる複数の針を提供する閉鎖システムを有する様々な経皮的縫合システムが開発されてきた。開口部を取り囲む血管壁を針が通過した後、針は取り込まれ、外側に牽引され、結び付けられ、結び目が管を通って押し戻されて、閉鎖が完了する。縫合針の装着は、装着された縫合糸が穴を保持および閉鎖することができるように組織の適切な係合を必要とし、これにより、システムはほぼ小さな血管穿孔の閉鎖に制限される。
【００１５】
胸腔鏡手術、腹腔鏡手術または内視鏡手術のような体腔および器官の穿孔を伴う処置では、適用可能なシステムを挿入するのに十分な大きさである適切なサイズのトロカールを用いて患者の身体に入るのが一般的である。そのような大口径の穿孔の閉鎖は、一般にオープン外科的縫合によって行われる。
【発明の概要】
【発明が解決しようとする課題】
【００１６】
本発明の目的は、内腔を閉鎖するための更なる医療器具およびその方法を提案することであり得る。
【課題を解決するための手段】
【００１７】
上述の目的は、請求項１の特徴を有する内腔を閉鎖するための医療器具によって達成される。当該目的はさらに、請求項２７の特徴を有する内腔を閉鎖するための方法によって達成される。
【００１８】
前述および以下のすべての記述において、「〜であってもよい」または「〜を有していてもよい」などの表現の使用は、「好ましくは〜である」または「好ましくは〜を有する」などと同義的に理解されるべきであり、本発明に係る実施形態を例示することを意図したものである。
【００１９】
本明細書で数字に関する単語が言及されるときは常に、当業者はそれらを数値の下限を示すものとして認識または理解するものとする。したがって、これが当業者に明らかな矛盾をもたらさない限り、当業者は、例えば、「１つ」を「少なくとも１つ」を包含するものとして理解するものとする。それ以外に、この理解はまた、例えば「１つ」という数字に関する単語が、当業者の観点から明らかに技術的に可能であるときは常に、「正確に１つ」を意味し得るという解釈として、本発明によって同様に包含される。これらの両方の理解が本発明によって包含され、本明細書ですべての使用される数字に関する単語に適用される。
【００２０】
したがって、本発明は、患者の組織の内腔、切開部、穿刺部、組織の通路および／または血管もしくは他の体管腔（略して内腔）との連通部を閉鎖するための医療器具を提案する。ここで、医療器具は、１つ以上の閉鎖デバイスを解放可能に収容および／または保持するための閉鎖デバイスホルダーを含む。この医療器具はさらに、内腔の反対側を牽引するためにおよび／または内腔を広げるために、内腔の反対側に接触する牽引ユニットを含み、任意選択的に、内腔の形状をスリットまたはスリット様またはよりスリット様の内腔に変化させる。この変化は、内腔の少なくとも１つまたは正確に１つの次元において、内腔の寸法または直径を拡大または増大させる結果となり得る。
【００２１】
さらに、組織の内腔を閉鎖するための方法が提案される。この方法は、第１に、本発明に係る医療器具を提供するステップと、第２に、医療器具を使用することによって内腔を閉鎖するステップとを含む。
【００２２】
本発明の有利な発展形態は、従属請求項および実施形態のそれぞれの主題である。
【００２３】
本明細書で実施形態が言及されるときは常に、それは本発明に係る例示的な実施形態を表す。
【００２４】
本発明に係る実施形態は、技術的に可能である任意の組合せにおいて、上記および／または以下で言及される特徴のうちの１つまたはいくつかを含み得る。
【００２５】
いくつかの実施形態では、本発明に係る医療器具の牽引ユニットは、少なくとも１つの牽引デバイスホルダーと少なくとも１つの牽引デバイスとを含む。後者は、好ましくは、少なくとも部分的に牽引デバイスホルダー内に収容されてもよい。牽引デバイスは、任意選択的に、少なくとも部分的に牽引デバイスホルダー内に、好ましくは解放可能に収容されてもよく、好ましくは牽引デバイスホルダーに対して可動または摺動可能にそこに配置されている。
【００２６】
牽引デバイスホルダーは、好ましくは、閉鎖されるべき内腔を通ってまたは内腔内に進入または延伸するように構成された遠位端と、近位端との両方を有していてもよい。
【００２７】
いくつかの実施形態では、本発明に係る医療器具の牽引ユニットは、組織と解放可能に係合するために、前記牽引デバイスに接続された少なくとも１つの係合デバイスを含む。
【００２８】
いくつかの実施形態では、係合デバイスは、貫通開口部を有する閉鎖断面を有していてもよい。閉鎖断面は、長方形、正方形、円形、楕円形またはそれらの組合せの形状を有していてよい。
【００２９】
いくつかの実施形態では、係合デバイスは、ワイヤーを含んでいてもよいか、またはワイヤーからなっていてもよい。
【００３０】
いくつかの実施形態では、係合デバイスは、単一のワイヤーから形成されていてもよい。
【００３１】
いくつかの実施形態では、係合デバイスは、凸状もしくは凹状の形状を有していてもよいか、または凸状もしくは凹状の形状を覆っていてもよい。他の実施形態では、それは平坦または実質的に平面である。
【００３２】
いくつかの実施形態では、本発明に係る医療器具の係合デバイスは、折り畳み可能であるようにおよび／または牽引デバイスホルダー内に少なくとも部分的に含まれるか、もしくは取り込まれるように構成されている。
【００３３】
係合デバイスおよび／または牽引デバイスを牽引デバイスホルダーの内部または外部に移動させるための機構が提供されていてもよい。
【００３４】
いくつかの実施形態では、係合デバイスは、それらが内腔開口部の内部または下部から内腔を取り囲む組織と係合するために構成されるように、上述の牽引デバイスに接続されていてもよい。
【００３５】
いくつかの実施形態では、本発明に係る医療器具の少なくとも２つの牽引デバイスおよび／または少なくとも２つの係合デバイスは、解放可能に牽引デバイスホルダー内に取り込まれる。特に、これらのデバイスは、特に閉鎖されるべき内腔の開口面よりも下に位置するようにするために、必要に応じて、牽引デバイスホルダーまたは係合デバイスまたはそれと同様に構成された機構を操作することによって、牽引デバイスホルダーから少なくとも部分的に解放されるように配置された状態で取り込まれる。
【００３６】
いくつかの実施形態では、本発明に係る医療器具の牽引デバイスホルダーおよび／または牽引デバイスおよび／または前記係合デバイスは、特に、内腔がその形状を変化させるように、内腔の反対側を牽引するように構成されている。例えば、内腔は、ほぼ円形の形状からスリット状の内腔に変化してもよい。好ましくは、この結果、内腔の牽引された長手方向の直径の少なくとも２倍の長さの延伸された横方向の直径が得られる。「横方向」とは、脈管の長手方向に垂直な方向を意味してもよい。長手方向の直径は、脈管の長軸方向に延びていてもよい。
【００３７】
いくつかの実施形態では、本発明に係る医療器具の牽引ユニットは、少なくとも次のうちの１つを有する牽引デバイスを少なくとも含む：
−  第１の側面および反対側の第２の側面、
−  第１のアームおよび第２のアーム、
−  第１の牽引デバイスおよび第２の牽引デバイス、
−  第１の牽引デバイスホルダーおよび第２の牽引デバイスホルダー、ならびに／または
−  第１の係合デバイスおよび第２の係合デバイス。
【００３８】
さらに、牽引ユニットまたは他の任意のコンポーネントは、第１の側面を第２の側面から距離を隔てたり離したりするための、第１のアームを第２のアームから距離を隔てたり離したりするための、第１の牽引デバイスを第２の牽引デバイスから距離を隔てたり離したりするための、第１の牽引デバイスホルダーを第２の牽引デバイスホルダーから距離を隔てたり離したりするためのならびに／または第１の係合デバイスを第２の係合デバイスから距離を隔てたり離したりするための機構を有していてもよい。
【００３９】
いくつかの実施形態では、上述の機構は、形状記憶特性を含むか、またはそれから成る。
【００４０】
いくつかの実施形態では、この機構は、例えば、ギア、ロッド、駆動手段、ノブまたはハンドルなどの制御手段を含む機械的手段を含んでいてもよいし、それらから成っていてもよい。
【００４１】
いくつかの実施形態では、この機構は、第１の側面または第１のアームなどが、第２の側面または第２のアームなどから距離を隔てたり離したりされるように、牽引デバイス、牽引ユニットまたは他の任意のコンポーネントの形状を修正するように構成された真空デバイスを含んでいてもよいし、それから成っていてもよい。
【００４２】
この真空デバイスは、例えば牽引ユニットの内部、好ましくは閉鎖された管腔から流体（例えば空気）を吸引するように配置されていてもよく、その結果、そのコンポーネント、例えば牽引ユニットの断面は、管腔内の真空を達成することによって変化され、例えば牽引ユニットの断面は、第１の次元では増加するが、第１の次元に垂直な第２の次元では減少する。このようにして、例えば牽引ユニットの反対側の第１および第２の側面は、牽引ユニットの円周を一定に維持しながら互いに距離を離す。
【００４３】
真空デバイスと流体連通している、好ましくは閉鎖された管腔は、少なくとも１つの状態（真空が適用されているか否か）において、第１の方向で、第１の方向に垂直な第２の方向でよりも長い断面を有していてもよい。
【００４４】
いくつかの実施形態では、牽引ユニットまたは牽引デバイスは、湾曲部もしくは段差を有しているか、またはそれを前側もしくは後側に曲げており、医療器具を脈管管腔から部分的に引き抜きながら停止として使用されるか、または外科医に触覚フィードバックを与えることができる。湾曲部や段差などは、医療器具の先端部、またはその牽引ユニット、牽引デバイスなどが、脈管の縁部または内腔で静止したことを示すことができる。これはまた、医療器具が閉鎖デバイスを展開するのに適した位置にあることを示す。これを達成するために、湾曲部や段差などは、例えば、医療器具または牽引デバイスの自由端から予め定められた距離の下に配置されている。また、湾曲部、段差またはそれが曲がっている位置は、閉鎖デバイスを解放する前に、医療器具を脈管管腔から遠くに引き抜き過ぎないようにする保護として機能してもよい。
【００４５】
いくつかの実施形態では、本発明に係る医療器具は、閉鎖デバイスホルダーに含まれた閉鎖デバイスを含む。
【００４６】
いくつかの実施形態では、本発明に係る医療器具の閉鎖デバイスは、閉鎖デバイスが応力を受けた状態で閉鎖デバイスホルダー内に少なくとも部分的に含まれる。特に、閉鎖デバイスが展開されていない状態にあるときは、閉鎖デバイスホルダーの遠位端内に含まれる。ここで、閉鎖デバイスは、好ましくは、２つ以上の端部と、例えば２つ以上のアームを介して、これらの２つ以上の端部と接続する連結部とを有する。
【００４７】
いくつかの実施形態では、本発明に係る医療器具の閉鎖デバイスは、閉鎖デバイスホルダー内に含まれており、その結果、医療器具の使用中に閉鎖デバイスが閉鎖デバイスホルダーの遠位端から出るように操作されたときに、閉鎖デバイスは、例えば、閉鎖デバイスホルダーの外側にある２つ以上のアームを曲げることによってその応力を解放するか、またはその一部を解放する。それによって、２つ以上の端部は、内腔を取り囲む組織の内壁を穿孔するように配置されることになる。
【００４８】
いくつかの実施形態では、本発明に係る医療器具の閉鎖デバイス、牽引デバイス、牽引デバイスホルダーおよび／または係合デバイスの少なくとも一部は、変形可能な形状記憶合金で作られており、かつ／または自己拡張可能な形状記憶部またはワイヤー本体を有する。
【００４９】
いくつかの実施形態では、本発明に係る医療器具の閉鎖デバイス、牽引デバイス、牽引デバイスホルダーおよび／または係合デバイスの少なくとも一部は、ニチノールで作られている。
【００５０】
いくつかの実施形態では、本発明に係る医療器具の閉鎖デバイス、牽引デバイス、牽引デバイスホルダーおよび／または係合デバイスの少なくとも一部は、生体適合性および／または生体吸収性材料で作られている。
【００５１】
いくつかの実施形態では、生体適合性および／または生体吸収性材料は、Ｔｉ、Ｔｉ合金、ニチノール、ステンレス鋼、高分子材料およびセラミックから成る群から選択される少なくとも１種の材料である。
【００５２】
本発明に係る医療器具のいくつかの実施形態では、閉鎖デバイスまたはその一部は、応力を受けていない状態のときに、カールして閉鎖形態（例えば、閉鎖デバイスのアーム、ストラットなどで取り囲まれた貫通開口部を有する）になる。
【００５３】
本発明に係る医療器具のいくつかの実施形態では、閉鎖デバイスまたはその一部は、応力を受けていない状態のときに、カールしてループ様またはリング様または円様の形状になる。
【００５４】
本発明に係る医療器具のいくつかの実施形態では、展開後の閉鎖デバイスは、１０マイクロメートル〜１センチメートル、好ましくは４０マイクロメートル〜２００マイクロメートル、より好ましくは５０マイクロメートル〜１００マイクロメートルの範囲の断面寸法を有する。
【００５５】
いくつかの実施形態では、本発明に係る医療器具は、好ましくは、閉鎖デバイスを操作するために、閉鎖デバイスホルダーの近位端を通って延在する押込みデバイスをさらに含む。押込みデバイスは、閉鎖デバイスに作用することによって、例えばそれを押し込むことによって、閉鎖デバイスを変形させないように構成されていてもよい。
【００５６】
本発明に係る医療器具のいくつかの実施形態では、押込みデバイスは、ロッドまたはピストンを含むか、またはそれから成る。
【００５７】
いくつかの実施形態では、本発明に係る医療器具は、閉鎖デバイスを操作するために、閉鎖デバイスホルダーの近位端を通って延在する保持デバイスまたは引抜きデバイスをさらに含む。ここで、前記保持デバイスは、特に解放可能に、前記閉鎖デバイスに取り付けられているか、またはそれに接続されている。
【００５８】
いくつかの実施形態では、本発明に係る医療器具の保持デバイスは、紐または縫合糸である。
【００５９】
いくつかの実施形態では、本発明に係る医療器具の閉鎖デバイスホルダーは、閉鎖デバイスホルダーの内壁に１つ以上の溝を有し、および／または保持デバイスを閉鎖デバイスホルダーの長手方向に沿ってガイドする（好ましくは、溝を通るかまたは溝に沿って、ガイドする）ための押込みデバイスに１つ以上の溝を有する。
【００６０】
本発明に係る医療器具のいくつかの実施形態では、閉鎖デバイスホルダーの遠位端は、閉鎖デバイスホルダーの壁に２つ以上のチャネルを有する。これらのチャネルは、医療器具の操作時に、またはユーザーが必要としたときに、閉鎖デバイスの１つ以上の端部が閉鎖デバイスホルダーから出てくることを可能にする。これらの端部は、閉鎖デバイスホルダーの片側または両側から出てもよい。チャネルはスリット様であってもよい。チャネルまたはその近位端は、閉鎖デバイスホルダーの遠位方向に遠位端だけ超えてもよい。
【００６１】
本発明に係る医療器具のいくつかの実施形態では、閉鎖デバイスホルダーの遠位端は、閉鎖デバイスホルダーの壁に、特に閉鎖デバイスホルダーの外周において、互いに対向して配置された少なくとも１つのチャネルまたは２つのチャネルを有する。
【００６２】
本発明に係る医療器具のいくつかの実施形態では、牽引デバイスホルダーは、細長いチューブであるか、またはそれを含む。この細長いチューブは、例えば金属またはプラスチックを含むか、またはそれから成り、好ましくは、牽引デバイスを取り込むように構成されている。
【００６３】
閉鎖デバイスホルダーは、組織の内腔を通ってまたは内腔内に進入または延伸されるための遠位端と、特に閉鎖デバイスホルダーに収容されるときに、閉鎖デバイスを操作するためのアクセスを提供するのに適した近位端とを有していてもよい。
【００６４】
いくつかの実施形態では、閉鎖デバイスホルダーおよび牽引ユニットの少なくとも１つは、医療器具内で、互いに、医療器具の他の要素に対して、および／または医療器具のケーシングまたは外側シースに対して、少なくとも摺動可能または移動可能に配置されている。
【００６５】
いくつかの実施形態では、医療器具は、医療器具、特に閉鎖デバイスホルダーおよび／または牽引ユニットの一部または全部の要素（当然、ハウジングもしくはケーシングなどは除く）を含む外側のハウジング、シースまたはケーシングを含む。
【００６６】
いくつかの実施形態では、医療器具は、ガイドワイヤーをガイドおよび／または包囲するための管腔を含む。管腔は、医療器具の遠位端および近位端の両方に開口していてもよいか、またはそれらのうちの１つだけに開口していてもよい。
【００６７】
いくつかの実施形態では、医療器具は、複数の管腔または開口部を含む。例えば、それらのうちの１つは、第１の閉鎖デバイスホルダーを格納してもよく、もう１つは、第２の閉鎖デバイスホルダー、牽引デバイスホルダーおよび／または、医療器具の他の任意の要素を格納してもよい。
【００６８】
医療器具の任意の管腔は、医療器具の貫通開口部であってもよく、好ましくは、医療器具の長手方向に延びている。
【００６９】
いくつかの実施形態では、医療器具は、その全長に沿うか、またはその一部のみに沿って、非可撓性および／または可撓性である外側のハウジングまたはユニットを有する。
【００７０】
本発明に係る方法のいくつかの実施形態では、方法は、以下のステップをさらに含む：
−  牽引ユニットの部品を内腔内に導入するステップ；
−  内腔の反対側を、牽引ユニットまたはそれによって構成される要素と接触させるステップ；
−  内腔の反対側を、牽引ユニットまたはそれによって構成される要素を用いて牽引し、および／または内腔を広げるステップ；および
−  少なくとも１つの閉鎖デバイスを閉鎖デバイスホルダーから解放し、内腔の反対側を閉鎖デバイスと互いに接続するステップ。
【００７１】
本発明に係る方法のいくつかの実施形態では、内腔の反対側を牽引し、および／または内腔を広げるステップが、内腔の形状を変化させ、例えば、スリットまたはスリット様またはよりスリット様の内腔へと変化させる。この変化の結果、内腔の少なくとも１つの次元または正確に１つの次元において、内腔の寸法または直径が拡大または増大し得る。
【００７２】
いくつかの実施形態では、閉鎖デバイスホルダーおよび牽引デバイスホルダーのうちの少なくとも１つは、部分的に中空チューブである。
【００７３】
いくつかの実施形態では、閉鎖デバイスホルダーおよび牽引デバイスホルダーのうちの少なくとも１つは、共通のケーシングまたはハウジング内に配置されており、好ましくは、そのケーシングに対して摺動可能または移動可能である。
【００７４】
いくつかの実施形態では、閉鎖部材は、閉鎖デバイスホルダーと同一である。
【００７５】
いくつかの実施形態では、牽引ユニットは、牽引デバイスホルダーと同一である。
【００７６】
いくつかの実施形態では、牽引ユニットおよび閉鎖部材は、１つのデバイスのみによって組み入れられている。
【００７７】
いくつかの実施形態では、デバイスは、ガイドワイヤーを有していない。しかしながら、デバイスは、デバイスの長さおよび／またはその長さの方向にガイドワイヤーを走らせるための管腔を有していてもよい。
【００７８】
いくつかの実施形態では、閉鎖デバイスは、ステープルまたはクリップである。
【００７９】
いくつかの実施形態では、閉鎖デバイスホルダーは、閉鎖デバイス、特にステープルまたはクリップを第１の方向に排出または解放するように構成されておらず、ここで、閉鎖デバイスを排出するか、またはそれらの排出を補助するように構成されたデバイスまたは閉鎖デバイスホルダーのコンポーネントが、最も有利には（もしくは理想的には唯一）第１の方向に、または最も有利には実質的に第１の方向に移動可能に配置されている。しかしながら、それらの実施形態では、そのコンポーネントは、第１の方向に実質的に垂直な第２の方向に移動可能に構成または配置されていない。
【００８０】
いくつかの実施形態では、閉鎖デバイスホルダーおよびデバイスのうちの少なくとも１つは、閉鎖デバイスを塑性変形させるために構成されたデバイスを有せず、特に、排出または解放されている間、閉鎖デバイスを塑性変形させるために構成されたデバイスを有しない。また、好ましくは、閉鎖デバイスを閉鎖するために設けられたデバイスは存在しない。
【００８１】
いくつかの実施形態では、閉鎖デバイスホルダーは、２つ以上の閉鎖デバイスを同時に排出または解放するように構成されている。例えば、閉鎖デバイスは、それらが横並びで離れるホルダーの１つの共通の開口部から排出されてもよい。あるいは、２つ以上の閉鎖デバイスが、別個の開口部を通るものの、しかしながら同時に閉鎖デバイスホルダーまたはデバイスから離れるような構成であってもよい。
【００８２】
いくつかの実施形態では、閉鎖デバイスホルダーは、閉鎖デバイスが閉鎖デバイスホルダーの長手方向にのみ排出または解放され得るように構成されている。
【００８３】
いくつかの実施形態では、閉鎖デバイスホルダーは、閉鎖デバイスが閉鎖デバイスホルダーの長さまたは長手方向に関して同じ位置にのみ排出または解放され得るように構成されている。
【００８４】
いくつかの実施形態では、牽引ユニットは、内腔を牽引しながら互いに距離を離す少なくとも２つの要素、例えば、２つの側面、２つのアーム、２つの牽引デバイスまたは２つの牽引デバイスホルダーを含む。
【００８５】
いくつかの実施形態では、牽引ユニットと閉鎖デバイスホルダーとは、互いに独立しており、特に、互いに独立して移動してもよい。他の実施形態では、それらは互いに連結されているか、またはそれらが互いに独立して移動することができないように同じユニットによって組み入れられている。
【００８６】
いくつかの実施形態では、牽引ユニットと閉鎖デバイスホルダーとは、互いに間隔を空けて配置されており、その結果、閉鎖デバイスホルダーは、内腔が牽引された状態で、すなわち、内腔が牽引ユニットによって牽引されているか、または広げられている間、内腔の長辺の縁部または縫い目を閉鎖するために、１つまたは複数の閉鎖デバイスを組織内に排出または解放するように構成されている。
【００８７】
いくつかの実施形態では、内腔の反対側を直接接触させて牽引するように構成された牽引ユニットのコンポーネントのうちの少なくとも１つは、細長いまたは長方形のセクションである。それらのうちの少なくとも１つは、ポール、チューブなどの形状を有していてもよく、好ましくは、それらは直線状である。
【００８８】
いくつかの実施形態では、内腔の反対側を直接接触させて牽引するように構成された牽引ユニットのコンポーネント（例えば、第１および第２のアームまたはセクション、第１および第２の牽引デバイス、第１および第２の牽引デバイスホルダーならびに／または第１および第２の係合デバイス）のうちの少なくとも１つは、１つ以上のヒンジ、関節、ジョイントまたはそれが屈曲するセクション（特に、その中間セクションではなく、より具体的には、互いに反対方向を向いていない）を含んでいない。
【００８９】
いくつかの実施形態では、内腔の反対側を直接接触させて牽引するように構成された牽引ユニットのコンポーネントは、自由遠位端を有する。
【００９０】
いくつかの実施形態では、内腔の反対側を直接接触させて牽引するように構成された牽引ユニットのコンポーネントの一部または全部は、内腔を牽引している間、第１の共通の平面内で互いに相対的に移動するように構成されている。任意選択的に、これらのまたは異なる実施形態では、少なくとも１つの閉鎖デバイスは、（例えば、閉鎖デバイスが展開された状態で、例えば、解放もしくは排出されたときに）全体的にまたは実質的に第２の平面内に延在する。また、閉鎖デバイスは、任意選択的に、第２の平面内で閉鎖してもよい。例えば、閉鎖デバイスは、閉鎖または展開時に互いに向き合って移動するアームまたは尖叉を含んでいてもよい。その動きは、実質的に１つの平面、すなわち第２の平面内で行われてもよい。第１の平面と第２の平面とは、互いに交差していてもよい。それらは互いに実質的に垂直であってもよい。
【００９１】
いくつかの実施形態では、内腔の反対側を直接接触させて牽引するように構成された牽引ユニットの一部または全部のコンポーネントは、内腔を牽引している間、第１の方向に互いに相対的に移動するように構成されている。任意選択的に、これらのまたは異なる実施形態では、デバイスは、少なくとも１つの閉鎖デバイスを第２の方向に排出または解放するように構成されている。第１の方向と第２の方向とは、互いに異なっていてもよい。実際には、それらは互いに垂直または実質的に垂直であってもよい。したがって、牽引方向は、閉鎖デバイスが排出または解放される方向および／または外科医によって使用されるときに閉鎖デバイスが閉鎖する方向に対して垂直または実質的に垂直であってもよい。
【００９２】
いくつかの実施形態では、第１および第２の牽引デバイス、またはその第１および第２のアームまたはセクションは、ちょうど１つのヒンジまたはジョイントまたはヒンジもしくはジョイントセクションによって互いに接続されている。そのヒンジまたはジョイントまたはセクションは−好ましくは排他的に−牽引デバイスホルダーの内部および／または医療デバイスもしくは牽引デバイスホルダーの長手方向軸に沿って移動するように配置されていてもよい。追加的に、または代替的に、そのヒンジまたはジョイントまたはセクションは−好ましくは排他的に−第１の方向ではなく、第２の方向に移動するように配置されていてもよい。したがって、それらの実施形態では、ヒンジまたはジョイントまたはセクションは、任意選択に、内腔の反対側が牽引されているか、または広げられている方向には移動しないように配置されていてもよい。
【００９３】
本発明によれば、組織の内腔を閉鎖するための医療器具も提案され、この医療器具は、
−  閉鎖デバイスホルダーであって、医療器具が展開された状態で組織の内腔を通って延在する遠位端と、閉鎖デバイスの操作のためのアクセスを提供するための近位端とを有する、閉鎖デバイスホルダー；および
−  医療器具または閉鎖デバイスが展開されていない状態にあるときに、閉鎖デバイスホルダーの遠位端内で応力を受けた状態で少なくとも部分的に取り込まれる閉鎖デバイスであって、２つ以上の端部と、２つ以上のアームを介して、これらの２つ以上の端部と接続する連結部とを有する、閉鎖デバイス
を含み、ここで、閉鎖デバイスの閉鎖デバイスホルダーに対する構成は、医療器具または閉鎖デバイスの展開中に閉鎖デバイスが閉鎖デバイスホルダーの遠位端から出るように操作されたときに、閉鎖デバイスホルダーの外側で２つ以上のアームを曲げることによって閉鎖デバイスがその応力を解放するように行われており、それによって、２つ以上の端部は、内腔を取り囲む組織の内壁を穿孔することになる。
【００９４】
本発明によれば、組織の内腔を閉鎖するための方法も提案され、その方法は、以下のステップ：
−  本発明に係る医療器具を提供するステップ、
−  医療器具を用いて内腔を閉鎖するステップ
を含む。
【００９５】
本発明に係るいくつかの実施形態では、閉鎖デバイスの少なくとも一部は、変形可能な形状記憶合金で作られている。
【００９６】
本発明に係るいくつかの実施形態では、閉鎖デバイスの少なくとも一部は、ニチノールで作られている。
【００９７】
本発明に係るいくつかの実施形態では、閉鎖デバイスの少なくとも一部は、生体適合性および／または生体吸収性材料で作られている。
【００９８】
本発明に係るいくつかの実施形態では、生体適合性および／または生体吸収性材料は、Ｔｉ、Ｔｉ合金、ニチノール、ステンレス鋼、高分子材料およびセラミックから成る群から選択される少なくとも１種の材料である。
【００９９】
本発明に係るいくつかの実施形態では、閉鎖デバイスは、応力を受けていない状態のときに、カールして閉鎖形態になる。
【０１００】
本発明に係るいくつかの実施形態では、閉鎖デバイスまたはその一部は、応力を受けていない状態のときに、ループ様またはリング様または円様の形状に湾曲する。
【０１０１】
本発明に係るいくつかの実施形態では、医療器具の展開後の閉鎖デバイスは、１０マイクロメートル〜１センチメートル、好ましくは４０マイクロメートル〜２００マイクロメートル、より好ましくは５０マイクロメートル〜１００マイクロメートルの範囲の断面寸法を有する。
【０１０２】
本発明に係るいくつかの実施形態では、医療器具は、閉鎖デバイスを操作するために、閉鎖デバイスホルダーの近位端を通って延在する押込みデバイスをさらに含む。
【０１０３】
本発明に係るいくつかの実施形態では、押込みデバイスは、ロッドまたはピストンである。
【０１０４】
本発明に係るいくつかの実施形態では、医療器具は、閉鎖デバイスを操作するために、閉鎖デバイスホルダーの近位端を通って延在する保持デバイスを含み、ここで、前記保持デバイスは、閉鎖デバイスに取り付けられている。
【０１０５】
本発明に係るいくつかの実施形態では、保持デバイスは、紐または縫合糸である。
【０１０６】
本発明に係るいくつかの実施形態では、閉鎖デバイスホルダーは、閉鎖デバイスホルダーの内壁に１つ以上の溝を有し、および／または保持デバイスを閉鎖デバイスホルダーの長手方向に沿ってガイドするための押込みデバイスに１つ以上の溝を有する。
【０１０７】
本発明に係るいくつかの実施形態では、閉鎖デバイスホルダーの遠位端は、閉鎖デバイスホルダーの壁に２つ以上のチャネルを有し、これらのチャネルは、閉鎖デバイスが展開したときに、閉鎖デバイスの１つ以上の端部が閉鎖デバイスホルダーから出てくることを可能にする。
【０１０８】
本発明に係るいくつかの実施形態では、閉鎖デバイスホルダーの遠位端は、閉鎖デバイスホルダーの壁に、互いに対向して配置された２つのチャネルを有する。
【０１０９】
プラグ、クリップまたは縫合糸を利用するような従来技術のほとんどは、最大１０Ｆのほぼ小さなサイズの動脈穿孔を閉鎖することのみ可能であり、動脈アクセス部位にのみ承認されている。システムのいくつかは、より大きな冠動脈または静脈穿孔を閉鎖するために適応外で使用されている。
【０１１０】
本発明は、有利には、組織を通る静脈および他の通路において、最大３０Ｆ以上の大口径の穿孔を封止するための、より効果的な方法および医療器具を提供することができる。
【０１１１】
本発明は、組織セグメントを一緒に結びつけたり、組織の開口部、例えば、静脈系、特に大腿静脈における非常に大口径の血管穿孔を閉鎖したり、および／または封止したりすることを可能にする。
【０１１２】
そのような非常に大きな血管アクセスおよび穿孔は、経管的僧帽弁および三尖弁修復およびプロテーゼ移植のような、より複雑なインターベンショナル処置に必要とされる。
【０１１３】
大腿静脈の直径は約８ｍｍまたは２４Ｆ以上であり、同様の直径を有するシステムの導入を可能にする。そのような大口径の静脈穿孔を、プラグ、縫合糸またはクリップを利用した経皮的システムで閉鎖することは非常に困難である。そのような大口径の穿孔を環状または長手方向に閉鎖する場合、血管狭窄のリスクが高くなる。
【０１１４】
本発明によれば、特定の技術は、有利には、血管長軸に直交する方向に穿孔を延伸し、この延伸部に沿って穿孔を閉鎖するように縫合するために使用される。このようにして、血管管腔の狭小が回避される。
【０１１５】
本発明は、脈管長軸に直交する方向に穿孔を延伸し、延伸線に沿って穿孔を閉鎖する単一のクリップを延伸部によって配置することによって、特に静脈内の大口径の血管穿孔を閉鎖することを可能にする。
【０１１６】
いくつかの実施形態では、医療器具は、ハンドル部材と、一方の側面（図示せず）および他方の側面のハンドル部材に結合されたチューブセットと、組織の内腔内に後続的にまたは同時に展開される牽引ユニットおよび閉鎖部材とを含んでいてもよい。ハンドル部材はまた、牽引ユニットおよび閉鎖部材を展開するのに必要な任意の数の機構（図示せず）を含んでいてもよい。牽引ユニットおよび閉鎖部材は、これらのユニットおよび部材が、制御されて、特に、インターベンショナル処置を行うために脈管内に一般的に配置されるガイドワイヤーまたは他のレール（図示せず）のようなガイド構造に沿って、脈管の内腔または管腔内に少なくとも部分的に充てがわれることを可能にするケーシングを介して展開される。
【０１１７】
牽引デバイスは、任意選択的に、内腔を通って延在するように構成された遠位端を有し、かつ閉鎖されるべき内腔の対向する内側に位置するように構成された２つの牽引デバイスホルダーを含む。牽引デバイスまたはそのホルダーは、例えば、その遠位端に取り付けられた係合デバイスを有していてもよい。係合デバイスは、内腔の対向する端部と脈管内壁の対向する端部とを係合させるために、例えば、それらを接触させたり、押し込んだり、および／または付け合わせたりするように配置されていてもよい。これらの係合デバイスは、距離を離し、内腔の対向する側面を牽引し、牽引デバイスの間で内腔の対向する側面に接近させる内腔を引き伸ばすように構成されており、その結果、内腔は、１つの延伸された長径と直交する牽引された短径とを有する直線状になる。
【０１１８】
閉鎖部材は、任意選択的に、閉鎖されるべき内腔を通って延在する遠位端を有する１つ以上の閉鎖デバイスホルダーを含み、ここで、閉鎖デバイスホルダーは、例えば、遠位端に取り付けられた閉鎖デバイスを有する。閉鎖デバイスは、閉鎖デバイスホルダーが引き抜かれたら組織壁と係合するように配置される。
【０１１９】
閉鎖デバイスは、好ましくは、閉鎖デバイスホルダーが引き抜かれたときに、内腔を取り囲む組織壁を貫通する先の尖った針である。閉鎖デバイスが組織壁と係合しているとき、それは、更なる引抜きに対してしっかりと抵抗するものとして検出することができる。
【０１２０】
閉鎖デバイスは、次いで、展開されて、さらに環状構造に曲がり、横方向に牽引された内腔の端部を、デバイスが内腔を直線状に閉鎖するように一緒に引き寄せる。
【０１２１】
閉鎖デバイスは、任意選択的に、閉鎖デバイスが内腔の内側から外側に移動されたときに、閉鎖デバイスは、閉鎖デバイスの予め設定された記憶形状に従ってアンカー様に曲がり、組織の壁を穿孔し、また、壁に密接に近接している組織を把持することにより、穿孔を取り囲む組織が閉鎖された内腔の密接な近接位置に引き寄せられ、その結果、内腔が閉鎖され、引き寄せられた周囲の組織がさらに組織の閉鎖を封止するようなサイズ、向きおよび形状の複数の丸い針を含む。
【０１２２】
閉鎖デバイス、または複数の閉鎖デバイスは、任意選択的に、閉鎖デバイスホルダーおよび送達機構から切り離され、所定の位置に置かれる。
【０１２３】
このように組織内腔が閉鎖された状態で、閉鎖デバイスを組織壁に取り付けたままにしておくことによって、脈管内の血液静止を達成することができる。閉鎖デバイスは、好ましくは記憶材料効果を有する金属、プラスチックまたは生体吸収性材料で組み立てられていてもよい。
【０１２４】
本発明に係るいくつかの実施形態では、内腔、切開部、穿刺部、または組織の通路、血管もしくは他の体管腔との連通部を閉鎖するのに使用するために、１つ以上の牽引ユニットを含む医療器具が提案される。
【０１２５】
牽引ユニットは、例えば、閉鎖されるべき内腔を通って延在するための遠位端と、選択的に操作を提供するための近位端とを備える２つの牽引デバイスホルダーを有する。
【０１２６】
係合デバイスは、操作によって解放され、かつ閉鎖されるべき内腔の下に位置するように、牽引デバイスホルダーに取り込まれている。前記牽引デバイスホルダーの前記操作により、内腔の反対側が牽引され、これにより、内腔の形状を、ほぼ円形の内腔から、延伸された横方向の直径（これは、内腔を牽引した後のその長い方の直径である）が、内腔の牽引された長手方向の直径（これは、短い方の直径である）の少なくとも２倍の長さを有するスリット状の内腔へと変化させる。
【０１２７】
本発明に係るいくつかの実施形態では、組織の内腔を閉鎖するのに使用するために、医療器具が提案され、この医療器具は、閉鎖部材を含み、ここで、閉鎖部材は、閉鎖されるべき内腔を通って延在するための遠位端と、選択的に操作を提供するための近位端とを備える閉鎖デバイスホルダーを有し；かつ展開されるべき前記閉鎖デバイスホルダーの遠位端に取り込まれた閉鎖デバイスを有し、それによって、閉鎖デバイスホルダーの前記操作および閉鎖デバイスの展開により、内腔が閉鎖させられる。
【０１２８】
本発明に係るいくつかの実施形態では、医療器具は、一組の牽引ユニットを含む。
【０１２９】
本発明に係るいくつかの実施形態では、医療器具は、医療器具の牽引ユニットの向きまたは方向を示すユーザーのための、例えば、標識、矢印などとして組み入れられている表示を含む。
【０１３０】
本発明に係るいくつかの実施形態では、医療器具はさらに、前記閉鎖デバイスホルダー、係合デバイスおよび閉鎖デバイスを、内腔との操作可能な近接位置に送達するための送達デバイスを含み、ここで、前記送達デバイスは、例えば、前記閉鎖デバイスホルダーに摺動可能に接続されている。
【０１３１】
本発明に係るいくつかの実施形態では、牽引デバイスホルダーは、牽引デバイスを取り込むことが可能な金属製またはプラスチック製の細長いチューブを含む。
【０１３２】
本発明に係るいくつかの実施形態では、牽引ユニットは、内腔を牽引するために距離を離すことができる。
【０１３３】
本発明に係るいくつかの実施形態では、牽引デバイスホルダーは、牽引デバイスを取り込むことが可能な金属製、プラスチック製または他の材料で作られた細長いチューブを含む。
【０１３４】
本発明に係るいくつかの実施形態では、閉鎖デバイスホルダーは、閉鎖デバイスが閉鎖デバイスホルダーから離れるのに通る前記細長いチューブの端部に横方向のチャネルを有し、これにより、閉鎖デバイスが前記細長いチューブの端部に対向する構造物との接触を回避する。
【０１３５】
本発明に係るいくつかの実施形態では、閉鎖部材は、閉鎖されるべきラインに沿って閉鎖デバイスを均等に分配するように操作することができる。
【０１３６】
本発明に係るいくつかの実施形態では、閉鎖デバイスは、金属、金属合金、ニチノール、プラスチックを含む材料のクラスから選択された穿孔材料、好ましくは針で作られており、好ましくは記憶効果特性を有し、かつ永続的または生体吸収性の保護コーティングを有し、生体吸収性である。
【０１３７】
いくつかの実施形態では、本発明によれば、閉鎖デバイスは、所定の断面と、近位端と、先の尖った端部をそれぞれ有する２つのアームとを有し、両アームは、圧縮されて前記閉鎖デバイスホルダーに取り込まれたときに第１の位置の間で拡張するための、閉鎖デバイスの屈曲部分である。閉鎖デバイスは、実質的に線状であり、圧縮または緊張状態で閉鎖デバイスホルダーの内側の軸に沿って両方向に移動することができ、かつ閉鎖デバイスホルダーの端部で解放されて、アームが曲がった形状を有し、２つの半円を有するリングを形成した状態で、アームを拡張された第２の位置に戻すことができる。
【０１３８】
本発明に係るいくつかの実施形態では、閉鎖デバイスは、閉鎖デバイスを閉鎖デバイスホルダーと接続することを可能にする予め設定された形態を有する。
【０１３９】
本発明に係るいくつかの実施形態では、本発明は、壁部、切開部、穿刺部または組織の他の通路、血管もしくは他の体管腔との連通部、特に、限定的ではないが、血管壁（ここで、血管は、血液を運ぶ管腔を有している）の内腔を閉鎖するための方法に関する。
【０１４０】
この方法は、以下のステップ：
ａ．閉鎖されるべき内腔の反対側を牽引して、内腔の拡張された直交する辺の接続に備えて、内腔の形状を、ほぼ円形の内腔から、脈管長軸に対して減少した軸方向の直径および脈管長軸直径に対して直交する拡大した直径を有する、よりスリット様の内腔へと変化させるステップと、
ｂ．内腔を通じて１つまたは複数の閉鎖デバイスを脈管管腔内に挿入して均等に展開し、閉鎖デバイスを、肩部の間の内腔の延伸された長辺で内腔を取り囲む脈管壁と係合し、牽引された内腔の２つの拡張された直交する辺を接続して内腔を閉鎖するように操作するステップ
とを含む。
【０１４１】
本発明に係るいくつかの実施形態では、閉鎖するステップは、係合した内腔壁の縫合、締結または同様の機械的接近を含む。
【０１４２】
本発明に係るいくつかの実施形態では、内腔を閉鎖するための医療器具は、当業者によって技術的に不可能とみなされない限り、任意の組合せで、本明細書に開示される特徴を含む。これらおよび他のより詳細で具体的な目的、ならびに本発明の様々な実施形態の理解は、図面に従った例示的な実施形態の以下の詳細な説明の考察から明らかになるであろう。
【図面の簡単な説明】
【０１４３】
【図１】図１Ａ〜図１Ｄは、本発明に係る医療器具の牽引ユニットの実施形態の概略側面図である。
【図２】図２Ａ〜図２Ｆは、牽引ユニットの代替的な実施形態の側面図である。
【図３】図３Ａ〜図３Ｄは、内腔内に展開された牽引ユニットの概略的な部分断面の図である。
【図４】図４Ａ〜図４Ｄは、牽引ユニットの代替的な実施形態の側面図である。
【図５】図５Ａ〜図５Ｄは、内腔内に展開された牽引ユニットの概略的な部分断面の側面図である。
【図６】図６Ａは、針の好ましい拡張された円形における、本発明の実施形態に係る医療器具の閉鎖デバイスの正面図であり、図６Ｂは、圧縮された直線形における、本発明の実施形態に係る医療器具の閉鎖デバイスの正面図である。
【図７】図７Ａ〜図７Ｆは、内腔内に展開され、組織を貫通し、かつ内腔の自由端を接続する図６に示される閉鎖デバイスの側面図である。
【図８】閉鎖デバイスホルダーに取り込まれた、直線状に折り畳まれた（圧縮されているか、または展開されていないと理解される）閉鎖デバイスを含む閉鎖部材の長手方向の概略側面図である。
【図９】閉鎖デバイスホルダーに取り込まれた、直線状に折り畳まれた閉鎖デバイスを含む閉鎖部材の概略的透視図である。
【図１０】脈管の内腔内に展開された閉鎖部材の概略的な部分断面の長手断面図である。
【図１１】脈管の内腔内に進入した閉鎖部材の概略的な部分断面の長手断面図である。
【図１２】図１２Ａ〜図１２Ｅは、内腔内に展開され、組織を貫通し、かつ内腔の自由端を接続する図１０からの閉鎖部材および図６からの閉鎖デバイスの概略的な部分断面の長手断面図である。
【図１３】図１３Ａ〜図１３Ｈは、内腔内に展開され、組織を貫通し、かつ内腔の自由端を接続する図１０からの代替的な閉鎖部材および図６からの閉鎖デバイスの概略的な部分断面の長手断面図である。
【図１４】内腔内に進入した２つの牽引ユニットの概略的な部分断面の透視図である。
【図１５】内腔内に展開された２つの牽引ユニット、脈管内に進入および展開された図４からの２つの牽引デバイスの概略的な部分断面の透視図である。
【図１６】内腔内に展開された２つの牽引ユニット、脈管内に進入および展開された図４からの２つの牽引デバイスの概略的な部分断面の透視図であり、内腔は牽引されることを示す透視図である。
【図１７】内腔内に展開された２つの牽引ユニット、脈管内に進入および展開された図４からの２つの牽引デバイスの概略的な部分断面の透視図であり、２つの牽引デバイスは、停止が感知されるまで牽引され、内腔は、内腔が直線状のスリットになり、かつ停止が感知されるようになるまで拡大されることを示す透視図である。
【図１８】同時にまたは後続的に内腔内に展開された２つの牽引デバイスおよび２つの閉鎖デバイスの概略的な部分断面の透視図である。
【図１９】内腔内に展開された２つの牽引デバイスおよび２つの閉鎖デバイスの概略的な部分断面の透視図であり、内腔は牽引され、内腔の長辺は、図６からの部分的に展開された閉鎖デバイスによって接近されることを示す透視図である。
【図２０】２つの牽引デバイスおよび完全に展開され、内腔の長辺を接続する図６からの２つの閉鎖デバイスの概略的な部分断面の透視図であり、牽引ユニットは後続的に牽引されることを示す透視図である。
【図２１】横線で内腔を閉鎖する図６からの解放された２つの閉鎖デバイスの概略的な透視図である。
【図２２】同時に脈管の内腔内に進入した２つの牽引デバイスおよび１つの閉鎖部材の概略的な部分断面の透視図である。
【図２３】脈管の内腔内に展開した２つの牽引デバイスおよび１つの閉鎖部材の概略的な部分断面の透視図であり、内腔は、脈管長軸に直交する方向に牽引されることを示す透視図である。
【図２４】脈管の内腔内にさらに進入した２つの牽引デバイスおよび１つの閉鎖部材の概略的な部分断面の透視図であり、内腔は、脈管の長軸に直交する方向に牽引され、内腔の長い縁部は、図６からの部分的に展開された閉鎖デバイスによって接近および貫通されることを示す透視図である。
【図２５】１つの閉鎖デバイスが内腔を閉鎖している脈管の概略的な部分断面の透視図である。
【図２６】図２６Ａ〜図２６Ｇは、脈管管腔を閉鎖する７つのステップ（ａ〜ｇ）における全体の手順の概略的な部分断面の透視図である。
【図２７】患者の血管の内腔および横方向の外科的縫合による閉鎖を示す。
【図２８】患者の血管の内腔および十字の外科的処置による閉鎖を示す。
【図２９】患者の血管の内腔および長手方向の外科的処置による閉鎖を示す。
【図３０】実施形態における閉鎖デバイスの透視図であり、図３０Ａは、閉鎖デバイスの正面図である。
【図３１】別の実施形態における閉鎖デバイスの正面図であり、図３１Ａは、閉鎖デバイスの透視図である。
【図３２】更なる実施形態の閉鎖デバイスの正面図であり、図３２Ａは、閉鎖デバイスの透視図である。
【図３３】本発明の一実施形態に係る医療器具の一部の透視図であり、図３３Ａは、医療器具を実質的に正面から示す図である。
【図３４】医療器具の別の実施形態の一部を透視図で示す。
【図３５】医療器具の別の実施形態の一部を側面から示す。
【図３６】医療器具の前端面の非常に簡略化された図を示す。
【発明を実施するための形態】
【０１４４】
本開示の特定の実施形態は、組織の牽引ユニットおよび内腔閉鎖部材を含む血管閉鎖デバイスなどの、組織の内腔を閉鎖するための血管閉鎖器具および方法に向けられている。
【０１４５】
（組織の牽引）
本発明の一態様では、組織内腔の対向する２つの部位を牽引するために牽引ユニットが提供される。２つのアーム、側面などが内腔の反対側で展開されて閉鎖された後、アーム、側面などの間の距離を増大させることで、反対側を牽引して、組織の開口部（内腔）の形状を、閉鎖に備えて内腔の２つの長い直線状の側面が接近したスリットに変化させる。
【０１４６】
本明細書に記載される脈管の閉鎖が、治療されるべき血管の狭小または狭窄を防止するための外科的な血管閉鎖技術の原理に従うことは、当業者によって理解されるであろう。牽引デバイスは、オープン外科的横縫合線に匹敵する、血管の長軸に直交する横方向スリットになるように組織の内腔を整えている。オープン外科的ｃｒｏｓｓ−ｓｔｉｃｈ処置または長手方向縫合線のような内腔の円形の牽引は、治療されるべき血管の狭窄を回避するために防止される（図２７を参照）。
【０１４７】
（内腔の閉鎖）
本発明の別の態様は、牽引ユニットを用いて整えられた組織内腔を閉鎖するための閉鎖部材に関する。牽引ユニットおよび閉鎖部材は、血管修復のみに限定されるものではなく、一般的な組織修復のためにも使用できることが認識されるべきである。医療器具の閉鎖デバイスは、例えば、チタン（およびチタン合金）、ニチノール、ステンレス鋼、高分子材料（合成および／または天然）、セラミックなどを含む、任意の生体適合性および／または生体吸収性材料で形成され得ることが、以下の説明を通して理解されるであろう。それに、本発明の閉鎖デバイスが、好ましくは、変形可能な形状記憶合金、例えばニチノールで形成されたループまたは円の形態の針の形状を有することも、本明細書から明らかであろう。一般的な概要として、本発明の閉鎖デバイスは、閉鎖デバイスが閉鎖デバイスホルダーに取り込まれて内腔内に展開される圧縮された直線構成の第１の位置と、閉鎖デバイスが内腔の端部に接近させて組織の穿孔を閉鎖する第２の拡張された円形構成の第２の位置との２つの変形位置を経る。
【０１４８】
牽引デバイスにより組織の内腔がスリットを形成するように整えた後、スリットの２つの長辺を閉鎖デバイスにより連結して組織の内腔を閉鎖する。
【０１４９】
図１は、本発明の牽引ユニット１００の側面図である。牽引ユニット１００は、任意選択的に、遠位先端部１１０を備えた長手方向中空式の牽引デバイスホルダー１０２を有する。牽引デバイス１０１は、折り畳まれて、管状の牽引デバイスホルダー１０２に取り込まれる。牽引デバイス１０１は、１つまたは１つの近位端１１１および２つの遠位端１１２を有する。牽引デバイス１０１は、任意選択的に、記憶効果を有する材料で作られており、２つの遠位端１１２をバネのように離れて広げる能力を有する。牽引デバイス１０１は、拡張段階で三角形の形状として形成された形状記憶合金、例えばニチノールから形成されていてもよく、牽引デバイスホルダー１０２に取り込まれるように圧縮されてもよい。牽引デバイスホルダー１０２が矢印１０８に沿って牽引されると、牽引デバイス１０１は段階的に解放され、遠位端１１２は牽引デバイス１０１の記憶効果により徐々に広がっていく。
【０１５０】
図２は、図１に示される牽引ユニット１００の代替的な実施形態の側面図である。牽引ユニット１００は、遠位先端部１１０を備えた長手方向中空式の牽引デバイスホルダー１０２を有する。牽引デバイス１０１は、折り畳まれて、管状の牽引デバイスホルダー１０２に取り込まれる。この実施形態では、牽引デバイスホルダー１０２は断面に、牽引デバイス１０１が長手方向、特に牽引デバイスホルダー１０２の遠位端の方向に移動したときに、牽引デバイス１０１のアームが取り込まれてガイドされる溝２０７を有する。牽引デバイス１０１は、例えば、牽引デバイスホルダー１０２に任意選択的に取り込まれたピストン２０３によって、牽引デバイスホルダー１０２の遠位端１１０に向かって押し出される。牽引デバイス１０１は、任意の縫合糸２０２によってループ状にされており、これが牽引デバイス１０１をテザリングする。ピストン２０３は断面に、縫合糸２０２が取り込まれる溝２０４を有する。ピストン２０３を図２Ｃ〜図２Ｅの長手方向に押し出すと、牽引デバイス１０１は段階的に解放され（図２Ｃ〜図２Ｆ）、遠位端１１２は、牽引デバイス１０１の記憶効果により徐々に広がっていく。牽引デバイスホルダー１０２の遠位端１１０に向かって長手方向に押し出すか、またはピストン２０３によって牽引デバイスホルダー１０２の遠位端１１０から引き離す間、牽引デバイス１０１は、テザリング縫合糸２０２または同様の作用コンポーネントによってピストン２０３に接続されたままである。牽引デバイス１０１が完全に解放されたら、ピストン２０３を含む牽引デバイスホルダー１０２は、牽引デバイス１０１が縫合糸２０２によってまだテザリングされたままの状態を残して、取り外してもよい。その後、牽引デバイス１０１は、縫合糸２０２の両端を引っ張ることによって、その位置（内腔）から取り外してもよい。
【０１５１】
図３は、脈管内腔３０２内に展開された牽引ユニット１００の概略的な部分断面の図である。
【０１５２】
牽引ユニット１００は、その遠位端により患者の身体の外側から閉鎖されるべき内腔３０２を通って脈管３０１の管腔内に特徴的に延在するケーシングを通って、患者の身体の創傷を通して展開され得るように開発されている。
【０１５３】
牽引ユニット１００および牽引デバイス１０１は、内腔３０２のサイズおよび閉鎖されるべき患者の脈管３０１または他の身体器官のサイズと、ユニットおよびデバイスの材料組成に応じて寸法が変化する。
【０１５４】
牽引デバイスホルダー１０２を有し、かつ牽引デバイス１０１を取り込む牽引ユニット１００は、脈管３０１の内腔３０２に挿入される。牽引デバイス１０１の遠位端１１０が脈管壁内腔３０２の下に展開されたら、牽引デバイスホルダー１０２は、脈管内腔３０２から離れる方向（図３Ａから図３Ｄまで）に段階的に牽引され、牽引デバイス１０１は解放される。牽引デバイス１０１の記憶特性により、内腔３０２は、図３Ｂから図３Ｄまで脈管長軸に直交する方向に徐々に広がり、脈管壁３０１において図３Ｄのスリット状の開口部３０２になる。
【０１５５】
図４は、図１に示される牽引ユニット１００の代替的な実施形態の側面図である。牽引ユニット１００は、遠位先端部１１０を備えた長手方向中空式の牽引デバイスホルダー１０２を有する。牽引デバイス１０１は、折り畳まれて、管状の牽引デバイスホルダー１０２に取り込まれる。牽引デバイス１０１は、近位端１１１と、２つの遠位端１１２のそれぞれに任意の係合デバイス４１０を備えた２つの遠位端１１２とを有する。係合デバイス４１０は、好ましくはループ状要素、好ましくはワイヤーループであり、最初は拡張された状態で形成されており、牽引デバイスホルダー１０２内に折り畳んで取り込むことができる。牽引デバイス１０１は、任意選択的に、記憶合金、例えばニチノールのような記憶効果を有する材料で作られており、２つの遠位端１１２を広げてワイヤーループ４１０を展開する能力を有する。牽引デバイスホルダー１０２が矢印に沿って（図４Ｂから図４Ｄまで）牽引されると、牽引デバイス１０１は段階的に解放され、牽引デバイス１０１の２つのアーム１１２が広がり、遠位係合部材４１０が牽引デバイス１０１の記憶効果により展開される。
【０１５６】
図５は、脈管３０１の内腔３０２内に展開された牽引ユニット１００の概略的な部分断面の側面図である。
【０１５７】
牽引ユニット１００は、その遠位端により患者の身体の外側から閉鎖されるべき内腔３０２を通って脈管３０１の管腔内に特徴的に延在するケーシングを通って、患者の身体の創傷を通して展開され得るように開発されている。
【０１５８】
牽引ユニット１００および牽引デバイス１０１は、内腔３０２のサイズおよび閉鎖されるべき患者の脈管３０１または他の身体器官のサイズと、ユニットおよびデバイスの材料組成に応じて寸法が変化する。
【０１５９】
牽引デバイスホルダー１０２を有し、かつ牽引デバイス１０１を取り込む牽引ユニット１００は、脈管３０１の内腔３０２に挿入される。牽引デバイス１０１は、近位端１１１と、２つの遠位端１１２のそれぞれに係合部材４１０を備えた２つの遠位端１１２とを有する。係合部材４１０は、好ましくは、牽引デバイスホルダー１０２に折り畳んで取り込むことができるワイヤーループである。牽引デバイスホルダー１０２の遠位端１１０が脈管壁内腔３０２の下に展開されたら、牽引デバイスホルダー１０２は、脈管内腔３０２から離れる方向（図５Ａから図５Ｂまで）に段階的に牽引され、脈管内腔３０２の下に展開され、開口部を取り囲む脈管壁に係合する係合デバイス４１０を解放する（図５Ｄ）。係合デバイス４１０はさらに、図５Ｂから図５Ｃまで解放される。係合デバイス４１０の記憶特性のために、内腔３０２は徐々に広がり（図５Ｂから図５Ｄまで）、脈管壁３０１のスリット状の開口部３０２（図５Ｄ）となる。展開された係合デバイス４１０は、スリット形状になったときに、係合デバイス４１０が脈管内腔３０２から牽引されるのを防止する。
【０１６０】
図６は、丸い針の好ましい実施形態における本発明の閉鎖デバイス６００の正面図である。閉鎖デバイス６００は、近位端６０２と、それぞれが任意選択的に尖った遠位端６０３を有する第１および第２のアーム６０４とを有する。両アーム６０４は、閉鎖デバイス６００の屈曲部分である。
【０１６１】
閉鎖デバイス６００は、両アーム６０４が互いに交差することを可能にする、任意選択的にまたは実質的に１つの平面内で両アーム６０４がそれぞれ半円を形成する拡張された実質的に閉鎖された位置（図６Ａ）と、圧縮された実質的に閉鎖された位置（図６Ｂ）とを有し、ただし、両アーム６０４は、実質的に直線であり、これにより閉鎖デバイス６００が牽引デバイスホルダー１０２（図５）または閉鎖部材８００に取り込まれることが可能である。
【０１６２】
閉鎖デバイス６００は、特定の必要性に応じて材料を選択することで、様々な予め設定された記憶形状の材料で作られていてもよい。
【０１６３】
閉鎖デバイス６００は、例えば、チタン（およびチタン合金）、ニチノール、ステンレス鋼、高分子材料（合成および／または天然）、セラミックなどを含む任意の生体吸収性材料で形成されていてもよく、および／または生体吸収性材料、例えばガルバニック腐食を利用してもよい。分解速度は、巨視的なガス気泡を一切形成しない組成物によって調整することができる。閉鎖デバイス６００は、好ましくは、形状記憶合金、例えばニチノールで作られており、ループ様構造を形成する能力を有する。閉鎖デバイス６００のサイズは、針の材料組成および使用に必要な大きさに依存する。用途に応じて、閉鎖デバイス６００は、１０マイクロミリメートル〜１０センチメートルの寸法および断面寸法を有することができる。サイズは、目標の閉鎖サイズおよび閉鎖されるべき内腔３０２のサイズに依存する。
【０１６４】
好ましくは、拡張されたループ状閉鎖デバイス６００（図６Ａ）は、例えば、図８に示されている閉鎖部材８００で拘束することによって、その圧縮された状態（図６Ｂ）に弾力的に圧縮されていてもよい。
【０１６５】
閉鎖デバイス６００は、収縮状態（図６Ｂ）から、図６Ａに示されているように拡張状態に展開されていてもよい。部分的に拡張された状態にあるときに、閉鎖デバイス６００は、フック様に形成された閉鎖デバイス６００が壁を穿孔するまで、部分的に拡張された閉鎖デバイス６００を閉鎖されるべき内腔３０２内に引き抜くことによって、その位置を特定するためのアンカーのように使用することができ、さらに引き抜くことで、更なる引き抜きに対する抵抗の増加として検出することができる（図１３Ｆに示される）。
【０１６６】
閉鎖デバイス６００は、開口部３０２を取り囲む内腔壁の一方の側に係合し、内腔３０２の壁を貫通し、アンカー様に曲がったアーム６０４が、図７に示されるように、穿孔された組織壁に接近させるようになる先の尖った端部６０３を有する。図６Ｂの閉鎖デバイス６００の近位端６０２を表す拡張された閉鎖デバイス６００の溝６０２（図６Ａ参照）は、後掲の図１３に示されるように、閉鎖デバイス６００を閉鎖部材８００にロックすることを可能にする。
【０１６７】
図７は、組織３０１を貫通して内腔３０２内に展開され、かつ内腔３０２の自由端を接続する、図６に示される閉鎖デバイス６００の側面図である。
【０１６８】
図７は、閉鎖されるべき内腔３０２における図６からの閉鎖デバイス６００のその後の展開を示す。
【０１６９】
図７Ａでは、閉鎖デバイス６００（図６に示される）は、圧縮された直線構成であり、組織３０１の内腔３０２に進入している。
【０１７０】
図７Ｂでは、閉鎖デバイス６００は部分的に展開されており、閉鎖デバイス６０３の先端部は、記憶材料効果により曲がっている。
【０１７１】
図７Ｃでは、閉鎖デバイス６００がさらに展開された状態で、閉鎖デバイス６０３の端部は、閉鎖デバイス６０３の先の尖った端部が組織内腔３０１の一方の側に係合し、壁３０１を貫通する（７０９を参照）状態でアンカー形態７０８にさらに曲がっている。
【０１７２】
次いで、閉鎖デバイス６００は引き抜かれ、アンカー様に形成された閉鎖デバイス７０８の先の尖った端部７２２が組織３０１を穿孔する。閉鎖デバイス６００の更なる展開により、閉鎖デバイス６００は、組織内腔を接近させ、内腔３０２を閉鎖するように両屈曲アームのそれぞれの半円を完成させる。
【０１７３】
しかしながら、閉鎖デバイス６００の展開は、任意選択的に、後続の図８から図１２までに示されるように、閉鎖デバイスホルダー８０２を必要とすることを理解されたい。より多くの閉鎖デバイス６００を、閉鎖デバイス６００の実施形態および構成に応じて利用され得ることを理解されたい。
【０１７４】
図８は、遠位端８０４を備えた長手方向中空式の閉鎖デバイスホルダー８０２を含む長手方向８０１における閉鎖部材８００の概略的な断面側面図である。閉鎖デバイスホルダー８０２は、直線状に圧縮された閉鎖デバイス６００を含む。閉鎖デバイスホルダー８０２は、任意選択的に、閉鎖デバイス６００を展開するための横方向チャネル８０３を有する。
【０１７５】
図９は、まっすぐに折り畳まれた閉鎖デバイス６００を含む、図８に示される閉鎖デバイスホルダー８０２の矢印８０１によって示される概略的な断面透視側面図である。閉鎖デバイスホルダー８０２は、任意選択的に、閉鎖デバイス６００を展開するための横方向チャネル８０３を有する。チャネル８０３は、アンカー７０８（図１２Ｃ）の形態で図１２Ｂ〜図１２Ｄに示されるように、閉鎖デバイス６００が屈曲した状態で閉鎖デバイスホルダー８０２から出てくることを可能にするが、閉鎖デバイス６００が、対向する脈管壁のように閉鎖デバイスホルダー８０２の端部８０４に対向して位置する場合がある構造物および組織に係合することを防止する。
【０１７６】
図１０は、脈管３０１と、直線状に折り畳まれた閉鎖デバイス６００を含み、かつ脈管壁３０１の内腔３０２を通って脈管管腔１００６内に進入している、図８および図９に示される閉鎖デバイスホルダー８０２との矢印８０１によって示される概略的な部分断面の透視図である。遠位の閉鎖デバイスホルダー８０２内のチャネル８０３は、図１２Ｂから図１２Ｄまでに示されるように、閉鎖デバイスが対向する脈管壁３０１に係合することを防止するアンカー７０８（図１２Ｃ）の形態で、閉鎖デバイス６００が屈曲して閉鎖デバイスホルダー１０２から出てくることを可能にする。
【０１７７】
図１１は、脈管３０１と、直線状に圧縮された閉鎖デバイス６００を含み、かつ脈管壁３０１の内腔３０２を通って脈管管腔１００６内に展開されている、図８、図９および図１０に示される閉鎖デバイスホルダー８０２との長手断面の矢印８０１によって示される概略的な部分断面の透視図である。遠位の閉鎖デバイスホルダー８０２内のチャネル８０３は、図１２Ｂ〜図１２Ｄに示されるように、例えば、閉鎖デバイスが反対側の脈管壁３０１に係合することを防止するアンカー７０８（図１２Ｃ）の形態で、閉鎖デバイス６００が屈曲して閉鎖デバイスホルダー１０２から出てくることを可能にする。
【０１７８】
図１２は、内腔（図１２Ａ）内に展開された図８からの閉鎖デバイスホルダー８０２を示す、図１２Ａから図１２Ｅまでのシーケンスにおいて、図８および図９からの閉鎖デバイスホルダー８０２の矢印８０１によって示される概略的な部分断面の長手断面図である。
【０１７９】
図１２Ｂでは、閉鎖デバイス６００は、閉鎖デバイスホルダー８０２の端部８０４の方向に外側に押し出され、閉鎖デバイスの先端部６０３が屈曲して閉鎖デバイスホルダー８０２をチャネル８０３内に残す。
【０１８０】
図１２Ｃでは、閉鎖デバイス６００は、閉鎖デバイスホルダー８０２の端部８０４の方向にさらに押し出されて、チャネル８０３を通って閉鎖デバイスホルダー８０２からさらに離れ、任意選択的にアンカー７０８を形成している。閉鎖デバイス６００の先端部６０３は、脈管壁３０１に係合している。
【０１８１】
図１２Ｄでは、閉鎖デバイスホルダー８０２は、内腔３０２からさらに引き抜かれている。アンカー６０３の先の尖った端部は、脈管壁３０１に穿孔７２２を形成している。さらに引き抜くことで、更なる引抜きに対してしっかりと抵抗するものとして検出することができる。次いで、閉鎖デバイスホルダー８０２は、脈管内腔３０２からさらに牽引され、閉鎖デバイス６００は解放される。閉鎖デバイス６００のアーム６０４は内側に曲がり、内腔３０２の端部を一緒に引っ張り、内腔３０２を閉鎖して図６に示されるリング構造を形成する。
【０１８２】
図１３は、脈管３０１の壁の内腔３０２内に展開された代替的な閉鎖部材８００の概略的な部分断面の長手断面図である。
【０１８３】
図１３は、閉鎖デバイス６００の展開および閉鎖デバイス６００によって達成される内腔３０２の閉鎖の図１３Ｃから図１３Ｈまでのシーケンスを示す。この実施形態では、閉鎖部材８００は、ピストン２０３を取り込む。
【０１８４】
図１３Ａは、保持デバイス２０２、好ましくは縫合糸がガイドされる溝２０４を有する断面のピストン２０３を示す。保持デバイス２０２は、ピストン２０３を閉鎖デバイス６００に接続するために閉鎖デバイス６００をテザリングしている。
【０１８５】
図１３Ｂは、図８に断面で示される閉鎖デバイスホルダー８０２を示しており、閉鎖デバイス６００が長手方向、特に閉鎖デバイスホルダー８０２の遠位端８０４に向かう方向に移動したときに、閉鎖デバイス６００のアームが取り込まれてガイドされる溝２０７を有する。閉鎖デバイス６００は、図１３Ｃから図１３Ｈまでのシーケンスに示されるように、ピストン２０３によって閉鎖デバイスホルダー８０２の端部８０４に向かって押し出されている。
【０１８６】
図１３Ｃでは、閉鎖部材８００の端部は、脈管３０１の壁の内腔３０２内に展開されている。閉鎖部材８００および閉鎖デバイス６００は、矢印８０１によって図８に示されるように、脈管３０１の長手方向に配向している。
【０１８７】
図１３Ｄでは、ピストン２０３は、閉鎖デバイスホルダー８０２の遠位端８０４に向かって押し出されており、閉鎖デバイス６００の先端部は、チャネル８０３を通って閉鎖デバイスホルダー８０２から出て、外側に曲がっている。保持デバイス２０２は、閉鎖デバイス６００とピストン２０３とを強固に接続しながら閉鎖デバイスホルダー８０２の端部８０４に向かって前進する動きに追従する。
【０１８８】
図１３Ｅでは、閉鎖デバイス６００は、ピストン２０３によって閉鎖デバイスホルダー８０２の遠位端８０４の方向にさらに押し出され、チャネル８０４を通って閉鎖デバイスホルダー８０２からさらに離れてアンカー７０８を形成する。閉鎖デバイス６００の先端部６０３は、脈管壁３０１と係合し、脈管壁３０１を貫通する。
【０１８９】
図１３Ｆでは、閉鎖デバイスホルダー８０２が閉鎖デバイス６００と一緒に引き抜かれ、アンカー７０８のように形成された部分的に解放された閉鎖デバイス６００の先の尖った端部６０３が、脈管壁３０１を穿孔する（７２２を参照）。アンカー様に形成された閉鎖デバイス６００をさらに引き抜くことで、更なる引抜きに対してしっかりと抵抗するものとして検出することができる。
【０１９０】
ピストン２０３を閉鎖デバイスホルダー８０２の端部８０４に向かってさらに押し出すと、閉鎖デバイス６００は組織内腔を接近させ、図１３Ｈに示されるように、内腔３０２を閉鎖するための単一縫合糸といくらか似通って内腔３０２を閉鎖するように両アーム６０４のそれぞれの半円を完成させる。
【０１９１】
閉鎖デバイス６００が解放されると、展開されていない閉鎖デバイス６００が保持デバイス２０２によってまだテザリングされたままの状態を残して、ピストン２０３を含む閉鎖デバイスホルダー８０２が取り外される。次いで、保持デバイス２０２は、必要に応じて閉鎖デバイス６００を局部化するか、またはさらには牽引するために利用してもよい。開口部３０２の閉鎖の結果が満足のいくものである場合、保持デバイス２０２は、例えば、保持デバイス２０２の一方のアームを引っ張ることによって取り外される。
【０１９２】
以下の説明では、牽引ユニット１００と閉鎖部材８００とが、１セットまたは医療器具へとまとめられ、これは同時にまたは後続的に展開される。図１４から図２１までのシーケンスは、２つの閉鎖部材８００による内腔３０２の閉鎖を示す。
【０１９３】
図１４は、図５に示される牽引ユニット１００の代替的な実施形態の概略的な部分断面の透視図である。牽引ユニット１００は、２つの牽引デバイスホルダー１０２を有し、それぞれが係合デバイス４１０に遠位接続された１つの牽引デバイス１０１を取り込む。
【０１９４】
係合デバイス４１０は、好ましくは、牽引デバイスホルダー１０２内に折り畳んで取り込むことができるワイヤーループである。
【０１９５】
２つの牽引デバイスホルダー１０２の遠位端１１０は、組織３０１の内腔３０２の反対側に展開される。
【０１９６】
図１５は、端部１１０が内腔壁１４１１の下の内腔３０２の反対側に配置された状態での、内腔開口部３０２における２つの牽引デバイス１０１の概略的な部分断面の透視図である。牽引デバイス１０１は、遠位端１１０に向かって前方に押し出された。係合デバイス４１０は、牽引デバイスホルダー１０２の遠位端１１０の開口部から離れ、係合デバイス４１０はループ状に展開した。
【０１９７】
図１６は、遠位端１１０が内腔壁１４１１の下で内腔３０２の反対側に位置した状態での、内腔開口部３０２における２つの牽引ユニット１００の概略的な部分断面の透視図である。係合デバイス４１０を備えた２つの牽引デバイスホルダー１０２は、矢印１４２０によって示される反対方向に移動される。
【０１９８】
図１７は、遠位端１１０が内腔壁１４１１の下で内腔３０２の反対側に位置した状態での、内腔開口部３０２に展開された２つの牽引デバイス１０１の概略的な部分断面の透視図である。２つの牽引デバイス１０１は、矢印１４２０によって示されるように、反対方向に移動し、内腔３０２がスリットを形成するようにする。牽引デバイス１０１の反対方向への移動は、内腔３０２の開口部が直線状のスリットを形成したら、例えば、スリットの長さが、図１５に示されるように、内腔３０２の円周の半分に等しい状態で停止することになる。係合デバイス４１０は、スリット開口部に対して９０度の角度１４２２で内腔３０２のスリット開口部の短軸よりも大きい直径を有するループを形成する。係合手段４１０は、矢印１４２０によって示されるように、牽引ユニットの偶発的な上方移動１４２１をロックするであろう。牽引デバイス１０１の上方移動１４２１は、係合手段４１０が接触して内腔３０２のスリット開口部を通過できなくなったときに停止される。
【０１９９】
図１８は、２つの閉鎖デバイスホルダー８０２が内腔の肩部の間に配置されており、端部８０４およびチャネル８０３が内腔３０２の開口部の下に配置された状態で、閉鎖部材８００の同時または順次の展開により内腔をスリット状に変形させた、図１６に示されている内腔開口部３０２に展開された２つの牽引デバイス１０１および２つの係合デバイス４１０の概略的な部分断面の透視図である。閉鎖デバイス６００は、閉鎖デバイスホルダー８０２内に取り込まれて圧縮され、分度器１７２２および矢印８０１によって示されるように、内腔開口部３０２に対して９０度の角度で配向される。
【０２００】
図１９は、図１８に示されるように、係合デバイス４１０と閉鎖デバイスホルダー８０２とが開口部３０２内に展開された２つの牽引デバイス１０１の概略的な部分断面の透視図である。閉鎖デバイス６００は、閉鎖デバイスホルダー端部８０４に向かう方向に段階的に解放され、閉鎖デバイスホルダー８０２をチャネル８０３内に残し、開口部３０２および閉鎖デバイス６００の先端部６０３を取り囲む、組織３０１の壁に係合しているアンカー７０８を形成し、穿孔７２２で示されるように組織３０１の壁を穿孔している。さらに引き抜くことで、更なる引抜きに対してしっかりと抵抗するものとして検出することができる。次いで、閉鎖デバイスホルダー８０２は、脈管内腔３０２からさらに牽引され、閉鎖デバイス６００は解放される。
【０２０１】
図２０は、係合デバイス４１０がまだ内腔３０２内に展開されている状態で、内腔３０２から部分的に引き出された２つの牽引デバイスホルダー１０２の概略的な部分断面の透視図である。図１９に示される閉鎖デバイスホルダー８０２は取り外されている。図１９に示される閉鎖デバイス６００は、図６Ａに示される構造を形成するように完全に展開されている。閉鎖デバイス６００は、内腔３０２の自由端１４１１を接近させて閉鎖している。
【０２０２】
図２１は、閉鎖された内腔３０２を有する組織３０１の概略的な透視図である。内腔３０２の側面は、接近して、穿孔７２２によって示される組織を穿孔する閉鎖デバイス６００によって閉鎖されている。
【０２０３】
以下の説明では、牽引ユニット１００と閉鎖部材８００とが、１セットまたは医療器具へとまとめられ、同時に脈管３０１内に展開される。図２２から図２５までのシーケンスは、１つの閉鎖デバイス６００による組織の内腔３０２の閉鎖を示している。
【０２０４】
図２２は、係合デバイス４１０と１つの閉鎖デバイスホルダー８０２とが脈管管腔１００６内の脈管３０２の壁２２０４の内腔３０２内に展開された２つの牽引デバイス１０１の概略的な部分断面の透視図である。係合デバイス４１０は、矢印８０１によって示される脈管３０１の長手方向に配向された脈管管腔１００６内に位置している。同時に、閉鎖デバイスホルダー８０２は、矢印８０１によって示されるように、脈管管腔１００６の内側の内腔壁２２０４の下のチャネル８０３の開口部が脈管３０１の長手方向に配向された状態で、牽引デバイス１０１の間に展開されている。
【０２０５】
図２３は、係合デバイス４１０と１つの閉鎖デバイスホルダー８０２とが脈管３０２の壁２２０４の内腔３０２内に展開された２つの牽引デバイス１０１の概略的な部分断面の透視図である。係合デバイス４１０および牽引デバイスホルダー１０２のチャネル８０３は、脈管管腔１００６の内側の内腔壁２２０４の下に位置している。牽引デバイス１０１と係合デバイス４１０とは、脈管の長軸と直交する横方向に離間して移動する。係合デバイス４１０は、内腔３０１の内壁に反対方向で押圧する。これにより、内腔３０２の反対側が牽引され、脈管３０１の内腔３０２が脈管３０１の長軸に直交する方向に広がり、同時に、内腔３０２の対向する拡大した長辺を接近させる。
【０２０６】
図２４は、係合デバイス４１０と１つの閉鎖デバイスホルダー８０２とが脈管３０１の壁２２０４の内腔３０２内に展開された２つの牽引デバイス１０１の概略的な部分断面の透視図である。係合デバイス４１０と牽引デバイス１０１のチャネル８０３とは、脈管管腔１００６の内側で、内腔壁２２０４の下に位置している。牽引デバイス１０１と係合デバイス４１０とは、脈管３０１の長軸に直交する方向に内腔３０２を牽引しており、内腔３０２の対向する長手方向に延びた側面の接近をもたらす。閉鎖デバイス６００は、部分的に展開され、チャネル８０３を介して閉鎖デバイスホルダー８０２から離れ、穿孔７２２によって示されるように、脈管壁２２０４を十分に把持して脈管壁２２０４を貫通したアンカー７０８を形成している。さらに引き抜くことで、更なる引抜きに対してしっかりと抵抗するものとして検出することができる。次いで、閉鎖デバイスホルダー８０２は、脈管内腔３０２からさらに牽引され、閉鎖デバイス６００は、完全な円形構造を形成し、内腔壁２２０４を引っ張り、対向する長手方向に延びた内腔の側面２２０４をさらに一緒に接近させるように解放される。最終的には、閉鎖デバイスホルダー８０２が引き抜かれて取り外され、牽引デバイス１０１は、係合デバイス４１０を閉鎖された内腔３０２から引き抜くことによって取り外され、係合デバイス４１０の可撓性ループは解けて、既に閉鎖された内腔３０２の肩部を通って抜ける。
【０２０７】
図２５は、内腔壁２２０４の穿孔７２２を用いて閉鎖デバイス６００によって脈管の長軸に直交して直線状に閉鎖された内腔３０２を有する脈管３０１の概略的な部分断面の透視図である。
【０２０８】
図２６は、患者の脈管の内腔３０２の閉鎖を示す、操作者の視点からの概略的な部分断面図である。
【０２０９】
図２６Ｂでは、２つのアームを備えた牽引ユニット１００と、３つの閉鎖デバイスホルダー８０２を備えた閉鎖部材８００とが、患者の脈管の内腔３０２内に展開されている。
【０２１０】
図２６Ｃでは、係合デバイス４１０は、内腔３０２の側面を牽引するように内腔３０２の反対側で脈管の長軸に直交する横方向に離間して移動され、この結果、内腔３０２の上端および下端が接近し、遠位および近位の２つの長辺と、脈管の側方の２つの短辺とを有するスリット状の開口部が形成される。同時に、閉鎖デバイスホルダー８０２は、広がった内腔３０２に沿って均等に分配されるように、距離を隔てて移動される。
【０２１１】
図２６Ｄでは、閉鎖デバイス６００は展開され、それぞれアンカーを形成する。
【０２１２】
図２６Ｅでは、閉鎖デバイスホルダー８０２が牽引され、閉鎖デバイス６００が係合し、閉鎖デバイスホルダー８０２をさらに牽引すると、開口部３０２を取り囲む脈管３０１の壁を穿孔する。
【０２１３】
さらに引き抜くことで、更なる引抜きに対してしっかりと抵抗するものとして検出することができる。次いで、閉鎖デバイスホルダー８０２は、脈管内腔３０２からさらに牽引され、閉鎖デバイス６００が解放される。
【０２１４】
図２６Ｆでは、閉鎖デバイス６００は、内腔３０２を閉鎖する丸い針を形成するように展開される。
【０２１５】
図２６Ｇでは、係合デバイス４１０は引き抜かれる。閉鎖デバイス６００は、内腔３０２の横方向の縫い目を閉鎖する。
【０２１６】
図２７は、縫合糸による内腔３０２のオープン外科的閉鎖を示す、患者の脈管３０１の内腔３０２の外科医用図である。患者の脈管３０１の内腔３０２は、患者の脈管の狭窄を回避するために、脈管の長軸に直交する直線状に連続または断続縫合糸２６００で閉鎖される。患者の脈管の内腔を閉鎖するこの原理は特に重要であり、医療器具の操作の例示的な方法を示す図１０〜図１２および図２２〜図２６に示されるように、本発明で実現される。
【０２１７】
図２８は、縫合糸２６００による内腔３０２のオープン外科的閉鎖を示す、患者の脈管３０１の内腔３０２の外科医用図である。患者の脈管３０１の内腔３０２は、内腔３０２の側方を接近させる交差縫合糸または均等な巾着縫合糸（図示せず）で閉鎖される。内腔３０２の側方の接近は、矢印２７００によって示されるように、脈管管腔の狭窄を引き起こす。
【０２１８】
図２９は、縫合糸２６００による内腔３０２のオープン外科的閉鎖を示す、患者の脈管３０１の内腔３０２の外科医用図である。患者の脈管３０１の内腔３０２は、長手方向縫合糸で閉鎖されている。内腔３０２の側方の接近は、矢印２７００によって示されるように、脈管管腔の狭窄を引き起こす。
【０２１９】
図２７、図１０〜図１２および図１２〜図２６のような脈管長軸に直交する横方向の閉鎖のみが、内腔３０２の近位端と遠位端とを接近させ、同時に内腔３０２の横側方の端部を広げて、脈管の直径および内腔の狭窄を回避する。
【０２２０】
図３０は、実施形態における閉鎖デバイス６００を透視図で示す。これは２つのアーム６０４を含み、それぞれが任意選択的に先の尖った端部６０３を有する。アームは、カールまたは湾曲したセクション６０５に由来する。
【０２２１】
図３０Ａは、図３０の閉鎖デバイス６００を正面図で示す。
【０２２２】
図３１は、さらに別の実施形態の閉鎖デバイス６００を正面図で示す。これは２つのアーム６０４を含み、それぞれが任意選択的に先の尖った端部６０３を有する。カールまたは湾曲したセクションは設けられていない。
【０２２３】
図３１Ａは、図３１の閉鎖デバイス６００を透視図で示す。
【０２２４】
図３２は、一実施形態における閉鎖デバイス６００を正面図で示す。これは２つのアーム６０４を含み、それぞれが任意選択的に先の尖った端部６０３を有する。図３０の実施形態とは対照的に、カールまたは湾曲したセクション６０５は閉鎖されておらず、すなわち、螺旋セクションが存在しないことを意味する。
【０２２５】
図３２Ａは、図３２の閉鎖デバイス６００を透視図で示す。
【０２２６】
図３３は、本発明に係る医療器具の部品を透視図で示す。ガイドワイヤー１０００は、脈管３０１の管腔１００６に導入される。ガイドワイヤー１０００は、ガイドワイヤー管腔１１５と呼ばれる医療器具の中央開口部を通って延びている。
【０２２７】
２つの係合デバイス４１０は、開口部３０２を牽引してスリットにする。
【０２２８】
牽引ユニットは、図３３には示されていない。牽引ユニットが示されている場合、それは、医療器具の別の実施形態に関する図３５に示されるように、ガイドワイヤー管腔１１５を通って進入することができるように配置され得る。
【０２２９】
図示されていないが、医療器具、特に係合デバイス４１０または牽引デバイス１０１は、ガイドワイヤー１０００が閉鎖デバイスと干渉するのを妨げるセクションを含んでいてもよい。このセクションは、ガイドワイヤーを閉鎖デバイス６００の外側または範囲外にガイドするワイヤー構築物であってもよい。
【０２３０】
図３３Ａは、図３３の医療器具を正面から見た図を示す。
【０２３１】
図３４は、医療器具の別の実施形態の部品を透視図で示す。係合デバイス４１０は、単一のワイヤーから構築されている。図３４から分かるように、牽引デバイス１０１、または使用中に脈管管腔に挿入される医療器具の他の任意の部分は、いかなる実施形態でも、医療器具を再び脈管３０１から引っ張るときに外科医に触覚フィードバックを与えるように、内腔３０２または脈管３０１の壁と相互作用し得る段差または湾曲部４２０を含んでいてもよい。外科医が触覚フィードバックを感じたら、医療器具は、閉鎖デバイス６００を解放することによって内腔３０２を閉鎖するために、理想的には内腔３０２に対して配置されていることを外科医は知ることになる。
【０２３２】
図３５は、医療器具のさらに別の実施形態の部品をその側面から見た図を示す。図３５は、図３３または図３３Ａでも明らかにされていることを実質的に示す。しかしながら、それはまた、内腔３０２を閉鎖する２つの閉鎖デバイス６００を非常に概略的に示す。係合デバイス４１０は、再び折り畳まれたまま、脈管管腔１００６から引き抜かれなければならない。
【０２３３】
図３６は、さらに別の実施形態では、長手方向軸Ｌおよびケーシング１１７を有する医療器具の前端面の非常に簡略化された図を示す。図に示されるように、医療器具の端部にはいくつかの開口部がある。一つはガイドワイヤー１０００を格納し、一つは２つの牽引デバイス１０１を格納し、一つは４つの閉鎖デバイス６００を格納する。
【０２３４】
なお、開口部、牽引デバイス１０１および閉鎖デバイス６００の数は、図３６に示される数に限定されるものではないことは言うまでもない。また、ガイドワイヤー１０００は、ガイドワイヤー１０００に特化して使用される開口部を通って延びていてもよい。しかしながら、その開口部を牽引デバイスまたはデバイス１０１および／または閉鎖デバイス６００と共有していてもよい。
【０２３５】
この説明は、好ましい実施形態についてなされたものであるが、開示および説明は、多くの点で例示的なものに過ぎず、限定的なものではなく、様々な変更および代替形態の余地があることは、当業者によって理解されるであろう。本発明の範囲を逸脱することなく、詳細、特に形状、サイズ、材料および部品の配置に関する事項について変更を加えることができる。しかしながら、本発明は、開示された特定の形態または方法に限定されるものではなく、逆に、本発明は、すべての変更、等価物および代替物を網羅するものであることを理解されたい。
【０２３６】
したがって、本発明の範囲は、特許請求の範囲に定義されている。
【符号の説明】
【０２３７】
１００  牽引ユニット
１０１  牽引デバイス
１０２  牽引デバイスホルダー
１０８  矢印
１１０  牽引デバイスホルダーの遠位先端部、端部、遠位端
１１１  近位端
１１２  遠位端
１１５  ガイドワイヤー管腔
１１７  ケーシング
２０２  縫合糸、保持デバイス
２０３  ピストン
２０４  溝
２０７  溝
３０１  脈管、脈管壁、組織
３０２  （脈管）内腔、スリット開口部、内腔開口部
４１０  係合デバイス
４２０  湾曲部、段差
６００  閉鎖デバイス
６０２  近位端、連結部、溝
６０３  遠位端、先の尖った端部、閉鎖要素、閉鎖デバイスの先端部、閉鎖デバイスの端部
６０４  アーム
６０５  カールまたは湾曲したセクション
７０８  アンカー、閉鎖デバイスのアンカー形態
７０９  組織壁を貫通する先端部６０３
７２２  ６０３の穿孔部
８００  閉鎖部材
８０１  長手方向矢印、支持／閉鎖デバイスホルダーの向きを示す矢印
８０２  閉鎖デバイスホルダー
８０３  チャネル、側方チャネル
８０４  遠位端、閉鎖デバイスホルダー端部
８０５  近位端、閉鎖デバイスホルダー端部
１０００  ガイドワイヤー
１００６  脈管管腔
１４１１  内腔壁、端部
１４２０  矢印
１４２１  上方移動
１４２２  角度
１７２２  分度器
２２０４  壁、内腔壁、長辺
２６００  縫合糸
２７００  矢印
Ｌ  長手方向軸
【図１Ａ】
2021514755.tif 000003
【図１Ｂ】
2021514755.tif 000004
【図１Ｃ】
2021514755.tif 000005
【図１Ｄ】
2021514755.tif 000006
【図２Ａ】
2021514755.tif 000007
【図２Ｂ】
2021514755.tif 000008
【図２Ｃ】
2021514755.tif 000009
【図２Ｄ】
2021514755.tif 000010
【図２Ｅ】
2021514755.tif 000011
【図２Ｆ】
2021514755.tif 000012
【図３Ａ】
2021514755.tif 000013
【図３Ｂ】
2021514755.tif 000014
【図３Ｃ】
2021514755.tif 000015
【図３Ｄ】
2021514755.tif 000016
【図４Ａ】
2021514755.tif 000017
【図４Ｂ】
2021514755.tif 000018
【図４Ｃ】
2021514755.tif 000019
【図４Ｄ】
2021514755.tif 000020
【図５Ａ】
2021514755.tif 000021
【図５Ｂ】
2021514755.tif 000022
【図５Ｃ】
2021514755.tif 000023
【図５Ｄ】
2021514755.tif 000024
【図６Ａ】
2021514755.tif 000025
【図６Ｂ】
2021514755.tif 000026
【図７Ａ−７Ｆ】
2021514755.tif 000027
【図８】
2021514755.tif 000028
【図９】
2021514755.tif 000029
【図１０】
2021514755.tif 000030
【図１１】
2021514755.tif 000031
【図１２Ａ−１２Ｅ】
2021514755.tif 000032
【図１３Ａ】
2021514755.tif 000033
【図１３Ｂ】
2021514755.tif 000034
【図１３Ｃ−１３Ｈ】
2021514755.tif 000035
【図１４】
2021514755.tif 000036
【図１５】
2021514755.tif 000037
【図１６】
2021514755.tif 000038
【図１７】
2021514755.tif 000039
【図１８】
2021514755.tif 000040
【図１９】
2021514755.tif 000041
【図２０】
2021514755.tif 000042
【図２１】
2021514755.tif 000043
【図２２】
2021514755.tif 000044
【図２３】
2021514755.tif 000045
【図２４】
2021514755.tif 000046
【図２５】
2021514755.tif 000047
【図２６Ａ】
2021514755.tif 000048
【図２６Ｂ】
2021514755.tif 000049
【図２６Ｃ】
2021514755.tif 000050
【図２６Ｄ】
2021514755.tif 000051
【図２６Ｅ】
2021514755.tif 000052
【図２６Ｆ】
2021514755.tif 000053
【図２６Ｇ】
2021514755.tif 000054
【図２７】
2021514755.tif 000055
【図２８】
2021514755.tif 000056
【図２９】
2021514755.tif 000057
【図３０】
2021514755.tif 000058
【図３０Ａ】
2021514755.tif 000059
【図３１】
2021514755.tif 000060
【図３１Ａ】
2021514755.tif 000061
【図３２】
2021514755.tif 000062
【図３２Ａ】
2021514755.tif 000063
【図３３】
2021514755.tif 000064
【図３３Ａ】
2021514755.tif 000065
【図３４】
2021514755.tif 000066
【図３５】
2021514755.tif 000067
【図３６】
2021514755.tif 000068
【国際調査報告】
2021514755.tif 000069
2021514755.tif 000070
2021514755.tif 000071
2021514755.tif 000072